(57)【要約】【課題】表示内容に応じて、極性反転駆動によるクロストークを改善する液晶駆動装置、液晶表示装置等を提供する。【解決手段】液晶駆動装置は、液晶表示装置のコモン電極の走査期間内にダミー期間を挿入する走査制御部と、走査期間内にコモン電極を走査すると共に、ダミー期間ではコモン電極を非選択にするコモン電極駆動部と、コモン電極駆動部によって走査されるコモン電極に対応した画像データに基づいて液晶表示装置のセグメント電極を駆動すると共に、ダミー期間では所与のダミーデータに基づいて前記セグメント電極を駆動するセグメント電極駆動部と、コモン電極駆動部によって駆動されるコモン電極及びセグメント電極駆動部によって駆動されるセグメント電極の間の電圧の極性を反転させる制御を所与の極性反転ライン数毎に行う極性反転制御部とを含む。【選択図】図９
2012053117.tif 000002
【特許請求の範囲】
【請求項１】
パッシブ型の液晶表示装置を駆動する液晶駆動装置であって、
前記液晶表示装置のコモン電極の走査期間内にダミー期間を挿入する走査制御部と、
前記走査期間内に前記コモン電極を走査すると共に、前記ダミー期間では前記コモン電極を非選択にするコモン電極駆動部と、
前記コモン電極駆動部によって走査されるコモン電極に対応した画像データに基づいて前記液晶表示装置のセグメント電極を駆動すると共に、前記ダミー期間では所与のダミーデータに基づいて前記セグメント電極を駆動するセグメント電極駆動部と、
前記コモン電極駆動部によって駆動されるコモン電極及び前記セグメント電極駆動部によって駆動されるセグメント電極の間の電圧の極性を反転させる制御を所与の極性反転ライン数毎に行う極性反転制御部とを含むことを特徴とする液晶駆動装置。
【請求項２】
請求項１において、
前記走査制御部は、
前記走査期間内の前記ダミー期間の挿入位置に対応した設定値が設定されるダミー挿入レジスターを含み、
前記コモン電極駆動部は、
前記ダミー挿入レジスターの設定値に対応した前記ダミー期間に前記コモン電極を非選択にし、
前記セグメント電極駆動部は、
前記ダミー挿入レジスターの設定値に対応した前記ダミー期間に、前記ダミーデータに基づいて前記セグメント電極を駆動することを特徴とする液晶駆動装置。
【請求項３】
請求項１又は２において、
前記画像データ及び前記ダミーデータがバッファリングされる画像データメモリーを含み、
前記セグメント電極駆動部は、
前記ダミー期間に、前記画像データメモリーから読み出された前記ダミーデータに基づいて前記セグメント電極を駆動することを特徴とする液晶駆動装置。
【請求項４】
請求項１乃至３のいずれかにおいて、
前記ダミーデータは、
挿入直前の走査期間に対応した画像データの反転データを含むことを特徴とする液晶駆動装置。
【請求項５】
請求項１乃至４のいずれかにおいて、
前記ダミーデータは、
前記ダミー期間において１ラインが全オン又は全オフとなるデータであることを特徴とする液晶駆動装置。
【請求項６】
請求項１において、
前記走査制御部は、
前記ダミー期間として、前記コモン電極の走査期間のいずれか一部を挿入し、
前記コモン電極駆動部は、
前記走査制御部によって挿入される走査期間に対応したコモン電極を走査し、
前記セグメント電極駆動部は、
前記走査制御部によって挿入される走査期間に対応した画像データに基づいて、前記セグメント電極を駆動することを特徴とする液晶駆動装置。
【請求項７】
請求項６において、
前記走査制御部は、
前記走査期間内の前記ダミー期間の挿入位置に対応した設定値が設定される挿入元レジスターと、
前記ダミー期間として挿入される前記コモン電極の走査期間のいずれか一部に対応した設定値が設定される挿入先レジスターとを含み、
前記コモン電極駆動部は、
前記挿入元レジスターの設定値に対応した前記ダミー期間に、前記挿入先レジスターの設定値に対応したコモン電極を走査し、
前記セグメント電極駆動部は、
前記挿入元レジスターの設定値に対応した前記ダミー期間に、前記挿入先レジスターの設定値に対応した画像データに基づいて前記セグメント電極を駆動することを特徴とする液晶駆動装置。
【請求項８】
請求項１乃至７のいずれかにおいて、
前記極性反転ライン数に対応した設定値が設定される極性反転ライン数設定レジスターを含み、
前記コモン電極駆動部は、
前記極性反転ライン数設定レジスターの設定値に対応した前記極性反転ライン数毎に極性を反転させた選択電圧を用いてコモン電極を走査し、
前記セグメント電極駆動部は、
前記極性反転ライン数設定レジスターの設定値に対応した前記極性反転ライン数毎に極性を反転させた駆動電圧を用いてセグメント電極を駆動することを特徴とする液晶駆動装置。
【請求項９】
請求項１乃至８のいずれかにおいて、
前記コモン電極駆動部は、
同時選択される複数のコモン電極を１ブロックとするブロック単位に複数フィールドに亘って各フィールドに対応した選択パターンで前記液晶表示装置のコモン電極を走査し、
前記セグメント電極駆動部は、
前記同時選択される複数のコモン電極に対応した画像データ及び前記選択パターンに対応した駆動電圧で前記液晶表示装置のセグメント電極を駆動し、
前記極性反転ライン数は、前記同時選択される複数のコモン電極数の倍数であることを特徴とする液晶駆動装置。
【請求項１０】
複数のコモン電極と、
前記複数のコモン電極と交差して設けられる複数のセグメント電極と、
前記複数のコモン電極を走査すると共に、前記複数のセグメント電極を駆動する請求項１乃至９のいずれか記載の液晶駆動装置とを含むことを特徴とする液晶表示装置。
【請求項１１】
請求項１０記載の液晶表示装置を含むことを特徴とする電子機器。
【請求項１２】
パッシブ型の液晶表示装置を駆動する液晶駆動方法であって、
前記液晶表示装置のコモン電極の走査期間内にダミー期間を挿入する走査制御ステップと、
前記走査期間内に前記コモン電極を走査すると共に、前記ダミー期間では前記コモン電極を非選択にするコモン電極駆動ステップと、
前記コモン電極駆動ステップにおいて走査されるコモン電極に対応した画像データに基づいて前記液晶表示装置のセグメント電極を駆動すると共に、前記ダミー期間では所与のダミーデータに基づいて前記セグメント電極を駆動するセグメント電極駆動ステップと、
前記コモン電極駆動ステップにおいて駆動されるコモン電極及び前記セグメント電極駆動ステップにおいて駆動されるセグメント電極の間の電圧の極性を反転させる制御を所与の極性反転ライン数毎に行う極性反転制御ステップとを含むことを特徴とする液晶駆動方法。
【請求項１３】
請求項１２において、
前記走査制御ステップは、
前記ダミー期間として、前記コモン電極の走査期間のいずれか一部を挿入し、
前記コモン電極駆動ステップは、
前記走査制御ステップにおいて挿入される走査期間に対応したコモン電極を走査し、
前記セグメント電極駆動ステップは、
前記走査制御ステップにおいて挿入される走査期間に対応した画像データに基づいて、前記セグメント電極を駆動することを特徴とする液晶駆動方法。
【発明の詳細な説明】
【技術分野】
【０００１】
本発明は、液晶駆動装置、液晶表示装置、電子機器及び液晶駆動方法等に関する。
【背景技術】
【０００２】
従来、この種の液晶表示装置は、複数のコモン電極と、複数のコモン電極に交差するように設けられた複数のセグメント電極とを備えており、各コモン電極と各セグメント電極との交差位置に対応して画素が形成される。液晶駆動装置は、液晶表示装置の複数のコモン電極を所定の方向に線順次で走査し、画像データに対応した駆動電圧でセグメント電極を駆動することで、液晶表示装置に画像を表示する。
【０００３】
ところが、単純に線順次で走査する場合、液晶駆動装置が駆動するコモン電極やセグメント電極にはクロストークが発生し、所望のタイミングで所望の電圧をコモン電極やセグメント電極に供給できずに、画質の劣化を招く。そこで、液晶表示装置を単純に線順次で走査することなく種々の駆動方法で液晶表示装置を駆動することで、クロストーク等の種々の要因で発生する画質の劣化を防止することが行われている。
【０００４】
例えば特許文献１には、インターレース走査モード及びプログレッシブ走査モードのいずれかで液晶表示装置のコモン電極を走査するようにした技術が開示されている。インターレース走査モードでは、奇数番号のコモン電極を連続して走査した後、偶数番号のコモン電極を連続して走査する。また、例えば特許文献２には、走査シフト用クロック信号に短い間隔のパルス信号を付加することで、液晶表示装置の配線が片側取り出し構造となっていた場合でも擬似的なインターレース走査を実現する技術が開示されている。更に、例えば特許文献３には、線順次走査やコモン電極を１又は複数のラインを飛び越して走査するインターレース走査の中から選択できる技術が開示されている。
【先行技術文献】
【特許文献】
【０００５】
【特許文献１】特開２０１０−３９４６４号公報
【特許文献２】特開２０００−２００３２号公報
【特許文献３】特開２００１−２８２２０３号公報
【発明の概要】
【発明が解決しようとする課題】
【０００６】
ところで、表示内容に依存してクロストークの発生の仕方が変化する。そのため、画像にかかわらず単純にインターレース走査を行ったとしても画質を改善できない。また、隣接する電極同士のクロストークのみならず、コモン電極及びセグメント電極の間でもクロストークが発生するため、液晶駆動で行われる極性反転駆動に起因するクロストークによって画質の劣化を招くことが考えられる。
【０００７】
特許文献１や特許文献３に開示された技術は画像にかかわらず１又は複数ラインを飛び越すインターレース走査を行うだけであり、液晶駆動で行われる極性反転駆動に起因するクロストークによる画質の劣化を防止することができない。また、特許文献２に開示された技術は擬似的な飛び越し走査であるため、飛び越しライン数を大きくすると波形の歪みが生じ、画質に影響が出るという問題がある。
【０００８】
本発明は、以上のような技術的課題に鑑みてなされたものである。本発明の幾つかの態様によれば、表示内容に応じて、極性反転駆動によるクロストークを改善する液晶駆動装置、液晶表示装置、電子機器及び液晶駆動方法等を提供することができる。
【課題を解決するための手段】
【０００９】
（１）本発明の一態様は、パッシブ型の液晶表示装置を駆動する液晶駆動装置が、前記液晶表示装置のコモン電極の走査期間内にダミー期間を挿入する走査制御部と、前記走査期間内に前記コモン電極を走査すると共に、前記ダミー期間では前記コモン電極を非選択にするコモン電極駆動部と、前記コモン電極駆動部によって走査されるコモン電極に対応した画像データに基づいて前記液晶表示装置のセグメント電極を駆動すると共に、前記ダミー期間では所与のダミーデータに基づいて前記セグメント電極を駆動するセグメント電極駆動部と、前記コモン電極駆動部によって駆動されるコモン電極及び前記セグメント電極駆動部によって駆動されるセグメント電極の間の電圧の極性を反転させる制御を所与の極性反転ライン数毎に行う極性反転制御部とを含む。
【００１０】
本態様においては、極性反転をしながらパッシブ型の液晶表示装置を駆動する際に、コモン電極の走査期間内にダミー期間が挿入される。ダミー期間では、コモン電極が非選択状態となり、セグメント電極は所与のダミーデータに基づいて駆動電圧が与えられる。このため、セグメント電極の駆動電圧の波形鈍りや、セグメント電極の電位変動に起因したコモン電極の電位変動が生じる場合に、ダミー期間における駆動電圧により実効電圧を調整できるようになり、画質劣化を容易に抑えることができるようになる。
【００１１】
（２）本発明の第２の態様に係る液晶駆動装置は、第１の態様において、前記走査制御部は、前記走査期間内の前記ダミー期間の挿入位置に対応した設定値が設定されるダミー挿入レジスターを含み、前記コモン電極駆動部は、前記ダミー挿入レジスターの設定値に対応した前記ダミー期間に前記コモン電極を非選択にし、前記セグメント電極駆動部は、前記ダミー挿入レジスターの設定値に対応した前記ダミー期間に、前記ダミーデータに基づいて前記セグメント電極を駆動する。
【００１２】
本態様によれば、ダミー挿入レジスターの設定値に応じてダミー期間の挿入位置を変更できるようにしたので、表示内容に応じて、クロストークに起因した画質の劣化を容易に抑えることができるようになる。
【００１３】
（３）本発明の第３の態様に係る液晶駆動装置は、第１の態様又は第２の態様において、前記画像データ及び前記ダミーデータがバッファリングされる画像データメモリーを含み、前記セグメント電極駆動部は、前記ダミー期間に、前記画像データメモリーから読み出された前記ダミーデータに基づいて前記セグメント電極を駆動する。
【００１４】
本態様においては、画像データメモリーにダミーデータをバッファリングし、セグメント電極駆動部が、ダミー期間において該ダミーデータに基づいてセグメント電極を駆動するようにしている。これにより、ライン全体を一律にオン画素又はオフ画素とすることなく、表示内容に応じてセグメント電極毎に電位を異ならせることができ、クロストークに起因した実効電圧の変化を木目細かく調整できるようになる。
【００１５】
（４）本発明の第４の態様に係る液晶駆動装置は、第１の態様乃至第３の態様のいずれかにおいて、前記ダミーデータは、挿入直前の走査期間に対応した画像データの反転データを含む。
【００１６】
本態様によれば、クロストークに起因した実効電圧の調整を確実に行うことができるようになる。
【００１７】
（５）本発明の第５の態様に係る液晶駆動装置は、第１の態様乃至第４の態様のいずれかにおいて、前記ダミーデータは、前記ダミー期間において１ラインが全オン又は全オフとなるデータである。
【００１８】
本態様によれば、簡素な制御で、ダミーデータによりクロストークに起因した実効電圧の調整を行うことができるようになる。
【００１９】
（６）本発明の第６の態様に係る液晶駆動装置は、第１の態様において、前記走査制御部は、前記ダミー期間として、前記コモン電極の走査期間のいずれか一部を挿入し、前記コモン電極駆動部は、前記走査制御部によって挿入される走査期間に対応したコモン電極を走査し、前記セグメント電極駆動部は、前記走査制御部によって挿入される走査期間に対応した画像データに基づいて、前記セグメント電極を駆動する。
【００２０】
本態様によれば、コモン電極の走査期間内に、走査順序とは異なる走査期間を挿入するようにしている。これにより、本来のコモン電極の走査期間における画像と、挿入される走査期間における画像との連続性がほとんどない場合に、コントラストの低下を防ぎつつ、マーク部のセグメント電極の出力電位を変化させることができるようになる。これにより、極性反転駆動によるクロストークに起因した実効電圧の変化を調整できるようになる。
【００２１】
（７）本発明の第７の態様に係る液晶駆動装置は、第６の態様において、前記走査制御部は、前記走査期間内の前記ダミー期間の挿入位置に対応した設定値が設定される挿入元レジスターと、前記ダミー期間として挿入される前記コモン電極の走査期間のいずれか一部に対応した設定値が設定される挿入先レジスターとを含み、前記コモン電極駆動部は、前記挿入元レジスターの設定値に対応した前記ダミー期間に、前記挿入先レジスターの設定値に対応したコモン電極を走査し、前記セグメント電極駆動部は、前記挿入元レジスターの設定値に対応した前記ダミー期間に、前記挿入先レジスターの設定値に対応した画像データに基づいて前記セグメント電極を駆動する。
【００２２】
本態様によれば、挿入元レジスターと挿入先レジスターとを設けたので、コモン電極の任意の走査期間内に、任意の走査期間を挿入することができ、表示内容に応じたクロストークの低減を、コントラストの低下を防ぎつつ実現できるようになる。
【００２３】
（８）本発明の第８の態様に係る液晶駆動装置は、第１の態様乃至第７の態様において、前記極性反転ライン数に対応した設定値が設定される極性反転ライン数設定レジスターを含み、前記コモン電極駆動部は、前記極性反転ライン数設定レジスターの設定値に対応した前記極性反転ライン数毎に極性を反転させた選択電圧を用いてコモン電極を走査し、前記セグメント電極駆動部は、前記極性反転ライン数設定レジスターの設定値に対応した前記極性反転ライン数毎に極性を反転させた駆動電圧を用いてセグメント電極を駆動する。
【００２４】
本態様によれば、極性反転ライン数を設定可能としたので、セグメント電極の駆動電圧の波形鈍りや、セグメント電極の電位変動に起因したコモン電極の電位変動が生じた場合でも、表示内容に応じて容易に調整できるようになる。
【００２５】
（９）本発明の第９の態様に係る液晶駆動装置は、第１の態様乃至第８の態様のいずれかにおいて、前記コモン電極駆動部は、同時選択される複数のコモン電極を１ブロックとするブロック単位に複数フィールドに亘って各フィールドに対応した選択パターンで前記液晶表示装置のコモン電極を走査し、前記セグメント電極駆動部は、前記同時選択される複数のコモン電極に対応した画像データ及び前記選択パターンに対応した駆動電圧で前記液晶表示装置のセグメント電極を駆動し、前記極性反転ライン数は、前記同時選択される複数のコモン電極数の倍数である。
【００２６】
本態様によれば、ＭＬＳ（Multi Line Selection）駆動法により液晶表示装置を駆動する場合であっても、セグメント電極の駆動電圧の波形鈍りや、セグメント電極の電位変動に起因したコモン電極の電位変動が生じた場合でも、画像に応じて容易に調整できるようになる。
【００２７】
（１０）本発明の第１０の態様は、液晶表示装置が、複数のコモン電極と、前記複数のコモン電極と交差して設けられる複数のセグメント電極と、前記複数のコモン電極を走査すると共に、前記複数のセグメント電極を駆動する第１の態様乃至第９の態様のいずれか記載の液晶駆動装置とを含む。
【００２８】
本態様によれば、表示内容に応じて、極性反転駆動によるクロストークを改善する液晶表示装置を提供できる。
【００２９】
（１１）本発明の第１１の態様は、電子機器が、第１０の態様に係る液晶表示装置を含む。
【００３０】
本態様によれば、表示内容に応じて、極性反転駆動によるクロストークを改善する液晶表示装置が適用された電子機器を提供できる。
【００３１】
（１２）本発明の第１２の態様は、パッシブ型の液晶表示装置を駆動する液晶駆動方法が、前記液晶表示装置のコモン電極の走査期間内にダミー期間を挿入する走査制御ステップと、前記走査期間内に前記コモン電極を走査すると共に、前記ダミー期間では前記コモン電極を非選択にするコモン電極駆動ステップと、前記コモン電極駆動ステップにおいて走査されるコモン電極に対応した画像データに基づいて前記液晶表示装置のセグメント電極を駆動すると共に、前記ダミー期間では所与のダミーデータに基づいて前記セグメント電極を駆動するセグメント電極駆動ステップと、前記コモン電極駆動ステップにおいて駆動されるコモン電極及び前記セグメント電極駆動ステップにおいて駆動されるセグメント電極の間の電圧の極性を反転させる制御を所与の極性反転ライン数毎に行う極性反転制御ステップとを含む。
【００３２】
（１３）本発明の第１３の態様に係る液晶駆動方法では、前記走査制御ステップは、前記ダミー期間として、前記コモン電極の走査期間のいずれか一部を挿入し、前記コモン電極駆動ステップは、前記走査制御ステップにおいて挿入される走査期間に対応したコモン電極を走査し、前記セグメント電極駆動ステップは、前記走査制御ステップにおいて挿入される走査期間に対応した画像データに基づいて、前記セグメント電極を駆動する。
【図面の簡単な説明】
【００３３】
【図１】本発明の一実施形態に係る液晶表示装置の構成例のブロック図。
【図２】図２（Ａ）〜図２（Ｄ）はＭＬＳ駆動法の原理の説明図。
【図３】４ライン同時選択のＭＬＳ駆動法における７レベルの電圧の関係を示す図。
【図４】図４（Ａ）、図４（Ｂ）は第１の実施形態における画質の劣化の様子の説明図。
【図５】理想的なセグメント電極の駆動電圧の波形を示す図。
【図６】セグメント電極の駆動電圧の波形鈍りを示す図。
【図７】コモン電極の非選択電圧であるセンター電圧の歪みを模式的に示す図。
【図８】セグメント電極の波形鈍りとコモン電極のセンター電圧レベルの歪みとを考慮した場合の実効電圧を示す図。
【図９】第１の実施形態における液晶駆動装置の構成例のブロック図。
【図１０】コモンアドレス及びラインアドレスの説明図。
【図１１】ＭＬＳ駆動法を行う場合の選択パターンの一例を示す図。
【図１２】図９のダミー挿入制御回路の構成例のブロック図。
【図１３】ダミー挿入設定レジスターの説明図。
【図１４】図１４（Ａ）〜図１４（Ｄ）はダミー挿入制御の説明図を模式的に示す図。
【図１５】ダミー挿入アドレスレジスターの説明図。
【図１６】ダミーデータ設定レジスターの説明図。
【図１７】コモンアドレスカウンターの動作例のフロー図。
【図１８】ラインアドレスカウンターの動作例のフロー図。
【図１９】極性反転ライン数カウンターの動作例のフロー図。
【図２０】極性反転信号生成回路の動作例のフロー図。
【図２１】ダミー挿入制御回路の動作例のタイミング図。
【図２２】第１の実施形態における液晶駆動装置の駆動タイミングの一例を示す図。
【図２３】第２の実施形態における液晶駆動装置の構成例のブロック図。
【図２４】図２３のブロック挿入制御回路の構成例のブロック図。
【図２５】ブロック挿入設定レジスターの説明図。
【図２６】図２６（Ａ）〜図２６（Ｄ）はブロック挿入制御の説明図を模式的に示す図。
【図２７】ブロック挿入アドレスレジスターの説明図。
【図２８】図２４のコモンアドレスカウンターの動作例のフロー図。
【図２９】図２４のラインアドレスカウンターの動作例のフロー図。
【図３０】ブロック挿入制御回路の動作例のタイミング図。
【図３１】第２の実施形態における液晶駆動装置の駆動タイミングの一例を示す図。
【図３２】図３２（Ａ）、図３２（Ｂ）はいずれかの実施形態又はその変形例が適用された電子機器の構成を示す斜視図。
【発明を実施するための形態】
【００３４】
以下、本発明の実施の形態について図面を用いて詳細に説明する。なお、以下に説明する実施の形態は、特許請求の範囲に記載された本発明の内容を不当に限定するものではない。また以下で説明される構成のすべてが本発明の課題を解決するために必須の構成要件であるとは限らない。
【００３５】
〔第１の実施形態〕
〔液晶表示装置〕
図１に、本発明の一実施形態に係る液晶表示装置の構成例のブロック図を示す。図１は、液晶表示装置が液晶駆動装置を備える構成例を表すが、液晶駆動装置が液晶表示装置の外部に備えられていてもよい。
【００３６】
液晶表示システム１０は、液晶表示パネル（広義には液晶表示装置）２０と、ホストプロセッサー３０と、電源回路４０とを含む。
【００３７】
液晶表示パネル２０は、パッシブ型の液晶表示パネルであり、一対の透明なガラス基板の間に、透明電極で形成され互いに交差するように配置された複数のコモン電極、複数のセグメント電極、配向膜及び液晶等を封入して形成される。液晶表示パネル２０は、画素形成領域２２を有し、画素形成領域２２には、第１の方向に配設されたコモン電極と、第１の方向と交差する第２の方向に配設されたセグメント電極との交差位置に対応して画素が形成される。図１では、複数のコモン電極ＣＯＭ０〜ＣＯＭＱ（Ｑは２以上の整数）のコモン電極ＣＯＭｊ（０≦ｊ≦Ｑ、ｊは整数）と複数のセグメント電極ＳＥＧ０〜ＳＥＧＲ（Ｒは２以上の整数）のセグメント電極ＳＥＧｋ（０≦ｋ≦Ｒ、ｋは整数）とを図示している。コモン電極ＣＯＭｊ及びセグメント電極ＳＥＧｋの交差位置に対応して画素Ｐｊｋが形成される。この液晶表示パネル２０を構成するガラス基板には、液晶駆動装置１００がＣＯＧ（Chip On Glass）実装される。
【００３８】
液晶駆動装置１００は、コモン電極に所与の選択電圧を供給するための複数のコモン電極出力端子と、セグメント電極に画像データに対応した液晶駆動電圧を供給するための複数のセグメント電極出力端子とを有する。複数のコモン電極出力端子は、対応するコモン電極に電気的に接続され、複数のセグメント電極出力端子は、対応するセグメント電極に電気的に接続される。液晶駆動装置１００は、液晶表示パネル２０の画素形成領域に形成されたコモン電極ＣＯＭ０〜ＣＯＭＱ及びセグメント電極ＳＥＧ０〜ＳＥＧＲをＭＬＳ（Multi Line Selection）駆動法により駆動する。即ち、液晶駆動装置１００は、複数のコモン電極を同時選択し、１画面を表示するのに必要な期間としての１フレーム期間を分割した複数のフィールド期間で、複数回に亘って駆動する。液晶駆動装置１００は、フィールド期間毎に、同時選択した複数のコモン電極を選択パターン（走査パターン）に基づいて駆動すると共に、該選択パターン及び画像データに基づく所与のＭＬＳ演算結果に対応した駆動電圧を複数のセグメント電極に印加する。
【００３９】
ホストプロセッサー３０は、内蔵するメモリー又は図示しないメモリーに記憶されたプログラムを読み込んで、該プログラムに対応した処理を実行することで、液晶駆動装置１００の駆動制御を行う。このため、ホストプロセッサー３０は、液晶駆動装置１００が内蔵する設定レジスターに設定値を設定することで、液晶駆動装置１００の動作を制御する。また、ホストプロセッサー３０は、液晶駆動装置１００に、液晶表示パネル２０に表示させる画像に対応した画像データを供給する。図１において、ホストプロセッサー３０は、液晶表示パネル２０を構成するガラス基板上に実装されていてもよい。
【００４０】
電源回路４０は、ホストプロセッサー３０及び液晶駆動装置１００の各々に、動作電源電圧及び液晶表示パネル２０の駆動電源電圧、或いはこれらの電圧を生成するための基準電圧を供給する。図１において、電源回路４０は、液晶表示パネル２０を構成するガラス基板上に実装されていたり、液晶駆動装置１００に内蔵されていたりしてもよい。
【００４１】
〔ＭＬＳ駆動法〕
液晶駆動装置１００によるＭＬＳ駆動法は、単純な駆動法と比較して、コモン電極が選択される期間の間隔を狭めることができ、画素の透過率の低下を抑えると共に、平均の透過率を向上させることができる。また、複数のコモン電極を同時に選択することで、コモン電極に印加する駆動電圧（選択電圧）を低くすることができる。
【００４２】
図２（Ａ）〜図２（Ｄ）に、ＭＬＳ駆動法の原理の説明図を示す。図２（Ａ）〜図２（Ｄ）の各々は、コモン電極ＣＯＭ０、ＣＯＭ１とセグメント電極ＳＥＧ０とが交差する位置の画素（ドット）についてオン又はオフする例を表す。なお、図２（Ａ）〜図２（Ｄ）では２ラインのコモン電極ＣＯＭ０、ＣＯＭ１が同時選択され、２ライン同時選択のＭＬＳ駆動法の例を表す。
【００４３】
図２（Ａ）〜図２（Ｄ）において、オンとなる画素（オン画素）を「−１」、オフとなる画素（オフ画素）を「＋１」と表し、このオン又はオフを示す画像データにより指定される。また、コモン電極ＣＯＭ０、ＣＯＭ１の各々を選択するための選択パターンを「＋１」、「−１」の２値で表す。更にセグメント電極ＳＥＧ０の駆動電圧は、「ＭＶ２」、「Ｖ２」、「Ｖ１」の３値である。
【００４４】
ＭＬＳ駆動法においては、セグメント電極ＳＥＧ０の駆動電圧は、画像データと同時選択されるコモン電極ＣＯＭ０、ＣＯＭ１の選択パターンとにより決まる。ここで、画像データを画像データベクトルｄ、選択パターンを行列βとすると、セグメント電極ＳＥＧ０の駆動電圧を「ＭＶ２」、「Ｖ２」、「Ｖ１」のいずれの電圧とするかは、画像データベクトルｄと行列βとの積により決定される。画像データベクトルｄは、セグメント電極ＳＥＧ０が各コモン電極と交差する位置の画素のオン又はオフを示すデータをベクトルで表現したものである。図２（Ａ）の場合にはｄ・β＝−２となり、図２（Ｂ）の場合にはｄ・β＝＋２となり、図２（Ｃ）の場合にはｄ・β＝＋２となり、図２（Ｄ）の場合にはｄ・β＝０となる。そして画像データベクトルｄと行列βとの積が「−２」のときセグメント電極ＳＥＧ０の駆動電圧として「ＭＶ２」が選択され、「＋２」のときに「Ｖ２」が選択され、「０」のときに「Ｖ１」が選択される。
【００４５】
例えば、画像データベクトルｄと行列βとの積の演算をハードウェアで行う場合には、画像データベクトルｄの各要素データと行列βの各要素データとの不一致数を判定するようにすればよい。例えば不一致数が「２」の場合には、セグメント電極ＳＥＧ０の駆動電圧として「ＭＶ２」を選択する。また不一致数が「０」の場合には、該駆動電圧として「Ｖ２」を選択する。また不一致数が「１」の場合には、該駆動電圧として「Ｖ１」を選択する。
【００４６】
２ライン同時選択のＭＬＳ駆動法では、上述のようにしてセグメント電極ＳＥＧ０の駆動電圧を決定し、１フレーム期間内で２回のフィールド期間を設けることによって、画素のオン又はオフを制御する。フィールド期間を複数回設けているため、非フィールド期間における透過率の低下が少なくなり、液晶表示パネル２０における平均の透過率を向上させ、液晶パネルのコントラストを向上させることができる。なお、以下では、４ラインのコモン電極を同時に選択するＭＬＳ駆動法を行うものとする。この場合、１フレーム期間内に４回のフィールド期間を設けることができ、液晶表示パネル２０のコントラストをより一層向上させることができる。この４ライン同時選択のＭＬＳ駆動法では、７レベルの電圧が用いられる。
【００４７】
図３に、４ライン同時選択のＭＬＳ駆動法により液晶表示パネル２０を駆動する場合の７レベルの電圧の関係を示す。
【００４８】
電圧Ｖ３、ＭＶ３は、コモン電極の選択電圧である。電圧ＶＣは、コモン電極の非選択電圧であり、セグメント電極の駆動電圧である。電圧Ｖ２、Ｖ１、ＭＶ１、ＭＶ２は、セグメント電極の駆動電圧である。そして、交差するコモン電極及びセグメント電極の電圧差に応じて、画素の透過率が変化する。
【００４９】
ここで、電圧Ｖ３とセンター電圧ＶＣとの電圧差をｖ３、電圧Ｖ２とセンター電圧ＶＣとの電圧差をｖ２、電圧Ｖ１とセンター電圧ＶＣとの電圧差をｖ１とする。このとき、センター電圧ＶＣと電圧ＭＶ３との電圧差はｖ３、センター電圧ＶＣと電圧ＭＶ２との電圧差はｖ２、センター電圧ＶＣと電圧ＭＶ１との電圧差はｖ１である。ここで、電圧Ｖ２と電圧Ｖ１との電圧差（＝電圧ＭＶ１と電圧ＭＶ２との電圧差）が、電圧Ｖ１とセンター電圧ＶＣとの電圧差（＝センター電圧ＶＣと電圧ＭＶ１との電圧差）と等しい。
【００５０】
〔液晶駆動装置〕
液晶駆動装置１００では、図３に示す電圧を用いて、ＭＬＳ駆動法によりコモン電極及びセグメント電極を駆動する。このとき、液晶駆動装置１００は、Ｎ（Ｎは１以上の整数）本のコモン電極を走査する毎に極性を反転させるＮライン極性反転制御を行うことで、液晶の劣化を防止し、画質の向上を図る。ところが、背景がオン画素（オフ画素）で画面の一部にオフ画素（オン画素）が存在する画像の場合、クロストークに起因する画質の劣化が想定される。
【００５１】
図４（Ａ）、図４（Ｂ）に、第１の実施形態における画質の劣化の様子の説明図を示す。図４（Ａ）は、理想的な表示画像を模式的に表したものであり、黒の領域がオフ画素、白の領域オン画素である。図４（Ｂ）は、実際の表示画像を模式的に表したものであり、クロストークによる画質の劣化を表している。
【００５２】
即ち、図４（Ａ）では、背景がオン画素の領域ＡＲｏｎで画面の一部にオフ画素の領域ＡＲｏｆｆが存在しているものとする。液晶駆動装置１００が、図４（Ａ）に示す画像に対応した画像データに基づいて、ＭＬＳ駆動法により線順次でコモン電極及びセグメント電極を駆動すると、図４（Ｂ）に示すような画像が表示される。図４（Ｂ）では、領域ＡＲ１はオン領域であるが、本来のオン表示より画素がオンする方向に表示される。領域ＡＲ２もまたオン領域であるが、本来のオン表示よりオフする方向に表示される。領域ＡＲ３もまたオン領域であるが、本来のオン表示よりオフする方向で、領域ＡＲ２よりはオンする方向に表示される。領域ＡＲ４はオフ領域であるが、本来のオフ表示より画素がオンする方向に表示される。領域ＡＲ５もまたオフ領域であるが、本来のオフ表示より画素がオフする方向に表示される。
【００５３】
図４（Ｂ）の現象は、セグメント電極の駆動電圧の波形の鈍りと、セグメント電極の電位変化がコモン電極の非選択電圧を変動させることに起因した実効電圧の低下により発生するものと考えられる。ここで、波形鈍りと極性反転時の電位変化の影響を説明するため、図４（Ｂ）において、タイミングＡ、Ｄで極性反転が行われ、タイミングＢ、Ｃ、Ｅで走査されるものとし、タイミングＡ、Ｄは走査タイミングと一致しているものとして説明する。第１の実施形態では、セグメント電極の電位変化が画像データの変化時と極性反転時に発生するため、図４（Ｂ）の現象は、各タイミングにおいて次のように説明できる。
【００５４】
極性反転タイミングＡは、セグメント電極の多数がオフ（オフを示す画像データに対応した駆動電圧。以下同様）であり、少数がオン（オンを示す画像データに対応した駆動電圧。以下同様）であり、極性反転が発生するタイミングである。走査タイミングＢは、セグメント電極の多数がオフからオンへ変化し、少数がオンのままであるタイミングである。走査タイミングＣは、セグメント電極の多数がオンのまま、少数がオンからオフに変化するタイミングである。極性反転タイミングＤは、セグメント電極の多数がオン、少数がオフであり、極性反転が発生するタイミングである。走査タイミングＥは、セグメント電極の多数がオンのまま、少数がオフからオンに変化するタイミングである。
【００５５】
ここで、各タイミングにおける理想的な駆動電圧の波形は次のようになる。
図５に、理想的なセグメント電極の駆動電圧の波形を示す。図５では、図４（Ｂ）の領域ＡＲ１におけるセグメント電極ＳＥＧ０、図４（Ｂ）の領域ＡＲ２、ＡＲ５におけるセグメント電極ＳＥＧ５０、図４（Ｂ）の領域ＡＲ３、ＡＲ４におけるセグメント電極ＳＥＧ１００の駆動電圧の波形を表す。
【００５６】
この場合、コモン電極の非選択電圧であるセンター電圧ＶＣは安定しており、セグメント電極ＳＥＧ０、ＳＥＧ５０、ＳＥＧ１００のそれぞれにおいて電位が変化しても鈍りや歪みが生じない。これは、極性反転タイミングＡ、Ｄにおけるコモン電極の電圧レベル及びセグメント電極の電圧レベルについても同様である。従って、各セグメント電極とコモン電極の間の実効電圧は、斜線部分ＶＶ１〜ＶＶ３に相当する。
【００５７】
ところが、実際にはセグメント電極には波形鈍りが生ずるものと考えられる。この波形鈍りによって、実効電圧は図５に示すものとは異なる。
【００５８】
図６に、セグメント電極の駆動電圧の波形鈍りを示す。図６では、コモン電極のセンター電圧ＶＣが安定しており、センター電圧ＶＣを基準としてセグメント電極ＳＥＧ０、ＳＥＧ５０、ＳＥＧ１００の波形を表している。なお、図６において図５と同様の部分には同一符号を付し、適宜説明を省略する。
【００５９】
セグメント電極ＳＥＧ０、ＳＥＧ５０、ＳＥＧ１００では、極性反転タイミングＡ、Ｄや、オン画素からオフ画素、オフ画素からオン画素への変化の度に、駆動電圧が変化する。このセグメント電極の電位変化によって波形鈍りが生じ、コモン電極との間の実効電圧は斜線部分ＶＶ１１〜ＶＶ１３のようになり、実効電圧が低くなる。そのため、セグメント電極の電位変化の回数が多くなればなるほど、実効電圧が低下してしまう。従って、図４（Ｂ）の領域ＡＲ１のオン領域よりも、領域ＡＲ２、ＡＲ３のオン領域の方がオフする方向に表示される。
【００６０】
しかしながら、セグメント電極の駆動電圧の波形鈍りだけでは、領域ＡＲ２、ＡＲ３の濃淡の違いや、領域ＡＲ４、ＡＲ５の濃度の違いについては説明できない。そこで、セグメント電極の電位変化が及ぼすコモン電極の非選択電圧の電位変動に着目する。
【００６１】
図７に、コモン電極の非選択電圧であるセンター電圧ＶＣの歪みを模式的に示す。図７では、図４（Ｂ）の極性反転タイミングＡ、Ｄと、走査タイミングＢ、Ｃ、Ｅとに合わせて、センター電圧ＶＣの電位レベルが変動している様子を表している。
【００６２】
セグメント電極の電位変動がコモン電極の非選択電圧の電位レベルに及ぼす影響度は、画像データに依存していると考えられる。画像データによりセグメント電極の電位が一斉に変動する場合と、セグメント電極の電位が１本だけ変動する場合とで、コモン電極の電位変動の度合いが異なると考えられるからである。そのため、画像データに依存して、セグメント電極の電位が変動する方向に、コモン電極の非選択電圧の電位レベルが歪むと考えられる。以上のことから、極性反転タイミングＡ、Ｄでは正方向に大きく歪み、走査タイミングＢでは負方向に大きく歪む。一方、走査タイミングＣ、Ｅでは、正方向の小さく歪む。
【００６３】
上記のように、実効電圧はコモン電極とセグメント電極との間の電圧であるため、セグメント電極の波形鈍りとコモン電極のセンター電圧レベルの歪みとを考慮すると、次のようになる。
【００６４】
図８に、セグメント電極の波形鈍りとコモン電極のセンター電圧レベルの歪みとを考慮した場合の実効電圧を示す。図８は、図６と図７とを重ね合わせたものであり、図６又は図７と同様の部分には同一符号を付し、適宜説明を省略する。
【００６５】
実効電圧に相当する図８に示す斜線部分ＶＶ２１〜ＶＶ２３に着目すると、極性反転タイミングＡでは、セグメント電極ＳＥＧ０の実効電圧がセグメント電極ＳＥＧ５０、ＳＥＧ１００の実効電圧よりも大きく増加する。走査タイミングＢでは、セグメント電極ＳＥＧ０、ＳＥＧ５０、ＳＥＧ１００の実効電圧の影響度はほぼ同等である。走査タイミングＣでは、セグメント電極ＳＥＧ１００の実効電圧が、セグメント電極ＳＥＧ０、ＳＥＧ５０よりも若干低下する。極性反転タイミングＤでは、セグメント電極ＳＥＧ１００の実効電圧がセグメント電極ＳＥＧ０、ＳＥＧ５０よりも大きく増加する。走査タイミングＥでは、セグメント電極ＳＥＧ０、ＳＥＧ５０、ＳＥＧ１００の実効電圧の影響度はほぼ同等である。
【００６６】
従って、セグメント電極ＳＥＧ０の領域ＡＲ１は、より画素がオンする方向に表示される。また、セグメント電極ＳＥＧ５０の領域ＡＲ２とセグメント電極ＳＥＧ１００の領域ＡＲ３はオン領域であるが画素がオフする方向になるものの、領域ＡＲ２に比べて領域ＡＲ３の方がオンする方向に表示される。更に、セグメント電極ＳＥＧ５０の領域ＡＲ５に比べてセグメント電極ＳＥＧ１００の領域ＡＲ４はオフ領域であるが、より画素がオンする方向に表示されることがわかる。
【００６７】
以上のように、単純な線順次走査時にＮライン極性反転制御を行うとき、オン領域での極性反転に伴うセグメント電極の電位変化がコモン電極へのクロストークによって、オン領域でのセグメント電極の実効電圧が高くなる。その場合、図４（Ｂ）に示すような現象が見られる可能性がある。このような現象を回避するために、極性反転ライン数を調整することでクロストークにより実効電圧を高くする部分と低くする部分とを相殺させることができる。ところが、極性反転ライン数を小さくすると、オン領域の実効電圧が高くなって、オン領域の上下のオフ領域がオンする方向に表示されてしまうクロストークが発生する。一方、極性反転ライン数を大きくすると、本来の液晶劣化を防止する効果が得にくくなる。このように極性反転ライン数の調整だけでは却って画質の劣化を招きやすくなり、調整が困難になるという問題がある。
【００６８】
そこで第１の実施形態では、コモン電極の走査期間中にダミー期間を設け、該ダミー期間において所与のダミーデータに基づいてセグメント電極を駆動することで、上記のクロストークに起因した実効電圧の変化を低減する。これによって、同じ極性反転ライン数であっても、上記のクロストークに起因した画質の劣化を防止できるようになり、クロストークを改善するための調整が容易となる。なお、このダミー期間は、オフ画素を背景とするオン画素のマーク部やオン画素を背景とするオフ画素のマーク部におけるセグメント電極の出力電位が変化するように設けられる。
【００６９】
このような液晶駆動装置１００は、次のような構成を有することができる。
図９に、第１の実施形態における液晶駆動装置１００の構成例のブロック図を示す。図９では、画素形成領域２２をあわせて図示している。
【００７０】
液晶駆動装置１００は、ホストプロセッサー用インターフェイス１１０、発振回路１１２、制御回路１１４、コモンアドレスデコーダー１１６、コモン出力演算回路１１８、コモンドライバー１２０を含む。更に、液晶駆動装置１００は、ページアドレス制御回路１２２、カラムアドレス制御回路１２４、ラインアドレス制御回路１２６、画像データＲＡＭ１２８、画像データラッチ回路１３０、ＭＬＳデコーダー１３２、セグメントドライバー１３４を含む。画像データＲＡＭ１２８は、フレームメモリー（画像データメモリー）として機能する。制御回路１１４は、ダミー挿入制御回路（走査制御部）２００を含む。第１の実施形態における駆動部は、コモンドライバー１２０及びセグメントドライバー１３４を含んで構成され、コモンアドレスデコーダー１１６、コモン出力演算回路１１８、及びＭＬＳデコーダー１３２の少なくとも１つを更に含んでもよい。
【００７１】
ホストプロセッサー用インターフェイス１１０は、液晶駆動装置１００が有する入力端子又は入出力端子を介してホストプロセッサー３０から入力される入力信号の入力インターフェイス処理を行う。またホストプロセッサー用インターフェイス１１０は、液晶駆動装置１００が有する出力端子又は入出力端子を介してホストプロセッサー３０に出力する出力信号の出力インターフェイス処理を行う。
【００７２】
発振回路１１２は、液晶駆動装置１００が生成する表示タイミング信号の基準となる発振クロックＯＳＣを発振動作により生成する。例えば、制御回路１１４は、発振クロックＯＳＣに基づいて、複数種類の表示タイミング信号を生成する。この制御回路１１４は、コモンアドレスデコーダー１１６等の液晶駆動装置１００の各部を制御する制御信号を生成する。ダミー挿入制御回路２００は、コモン電極の走査期間内にダミー期間を挿入する制御を行う。
【００７３】
コモンアドレスデコーダー１１６は、制御回路１１４において生成されＭＬＳ駆動において同時選択される複数のコモン電極に対応したコモンアドレスをデコードする。このデコード結果はコモンドライバー１２０に出力される。コモンアドレスは、同時選択される複数のコモン電極毎に割り当てられ、ＭＬＳ駆動を行う際にコモンアドレスを指定することで、対応するコモン電極が選択される。
【００７４】
コモン出力演算回路１１８は、制御回路１１４において生成される極性反転信号ＦＲ、ＭＬＳ駆動パターンを識別するフィールド信号Ｆ１、Ｆ２に基づいて、コモン出力の出力レベルを制御する。
【００７５】
コモンドライバー１２０は、コモンアドレスデコーダー１１６のデコード結果に基づいて、コモン出力の選択／非選択を制御し、選択されたコモン出力として、コモン出力演算回路１１８で生成された出力レベルを出力する。
【００７６】
ページアドレス制御回路１２２は、ホストプロセッサー用インターフェイス１１０を介してホストプロセッサー３０から入力される画像データを画像データＲＡＭ１２８にアクセスするためのページアドレスを制御する。ページアドレスは、ホストプロセッサー３０から入力される画像データのバス幅をアクセス単位として定義される。
【００７７】
カラムアドレス制御回路１２４は、ホストプロセッサー用インターフェイス１１０を介してホストプロセッサー３０から入力される画像データを画像データＲＡＭ１２８にアクセスするためのカラムアドレスを制御する。カラムアドレスは、画素形成領域２２のセグメント電極に対応して定義される。
【００７８】
ラインアドレス制御回路１２６は、画像データＲＡＭ１２８に保存された画像データのうち読み出しラインを特定するラインアドレスを制御する。ラインアドレスは、画素形成領域２２のコモン電極に対応して定義される。第１の実施形態におけるコモンアドレス及びラインアドレスは、図１０に示すように定義される。例えば、制御回路１１４がコモンアドレス「０」を出力したとき、コモン電極ＣＯＭ０〜ＣＯＭ３が同時選択される。このとき、画像データＲＡＭ１２８に記憶される画像データのうち、ラインアドレス０〜３に対応する画像データが読み出される。同様に、制御回路１１４がコモンアドレス「１」を出力したとき、コモン電極ＣＯＭ４〜ＣＯＭ７が同時選択される。このとき、画像データＲＡＭ１２８に記憶される画像データのうち、ラインアドレス４〜７に対応する画像データが読み出される。このように、コモンアドレスにより、同時選択される４ラインのコモン電極を１ブロックとするブロック単位で指定でき、ラインアドレスも一意に決まる。
【００７９】
図９において、画像データＲＡＭ１２８は、画素形成領域２２の画素の並びに対応して、各画素の画像データが記憶される記憶領域を有する。各記憶領域は、ページアドレス及びカラムアドレスにより特定される。これにより、画像データＲＡＭ１２８には、ページアドレス及びカラムアドレスにより特定される領域に画像データが書き込まれる。一方、画像データＲＡＭ１２８からは１ライン単位で画像データが読み出される。
【００８０】
画像データラッチ回路１３０は、画像データＲＡＭ１２８から１ラインずつ読み出された画像データを４ライン分ラッチする。この画像データラッチ回路１３０には、制御回路１１４からの表示オン信号ＤＯＮが入力され、表示オン信号ＤＯＮに基づいてダミー期間における画像データを制御する。
【００８１】
ＭＬＳデコーダー１３２は、画像データと、制御回路１１４において生成されＭＬＳ駆動を行うための表示タイミング信号とをデコードする。より具体的には、ＭＬＳデコーダー１３２は、画像データラッチ回路１３０によってラッチされた画像データと、制御回路１１４によって生成される極性反転信号ＦＲ、フィールド信号Ｆ１、Ｆ２とに基づいて、セグメント出力の出力レベルを制御する。このＭＬＳデコーダー１３２のデコード結果は、セグメントドライバー１３４に出力される。
【００８２】
セグメントドライバー１３４は、ＭＬＳデコーダー１３２のデコード結果に基づいて、セグメント電極に、ＭＬＳデコーダー１３２でデコードされた出力レベルを出力する。なお、セグメントドライバー１３４には、制御回路１１４において生成された表示オフ信号ＸＤＯＦにより、ＭＬＳデコーダー１３２のデコード結果にかかわらずセグメント電極に所与の出力レベルを出力して表示をオフにする制御を行うことができる。第１の実施形態では、表示オフ信号ＸＤＯＦにより、コモン電極と同電位となるような出力レベルをセグメント電極に出力することで、表示をオフする。
【００８３】
図１１に、ＭＬＳ駆動法を行う場合の選択パターンの一例を示す。なお、図１１は、極性反転信号ＦＲがＬレベルのときの選択パターンの一例を表すが、極性反転信号ＦＲがＨレベルのときも、フィールド期間毎に、各コモン電極に印加される電圧に対応した選択パターンが設けられる。
【００８４】
ＭＬＳ駆動法において１フレーム期間内に設けられる各フィールド期間は、液晶駆動装置１００においてフィールド信号Ｆ１、Ｆ２により特定される。液晶駆動装置１００は、図１１に示す２ビットのフィールド信号Ｆ１、Ｆ２で表される４状態に対応したフィールド期間毎に、各コモン電極に電圧Ｖ３又は電圧ＭＶ３を出力する。図１１に示す各フィールド期間における各コモン電極への出力パターンは、選択パターンとして直交関数系により定義される。液晶駆動装置１００は、予め決められた直交関数系により定義される選択パターンに従って、３種類の駆動電圧Ｖ３、ＶＣ、ＭＶ３のいずれかを適宜選択し、同時選択されるコモン電極にそれぞれ印加するようになっている。
【００８５】
各フィールド期間は、同時選択される複数のコモン電極毎に割り当てられる複数のサブ選択期間に分割される。第１のフィールド期間（１ｆ）を分割した複数のサブ選択期間のうち、同時選択されるコモン電極ＣＯＭ０〜ＣＯＭ３が選択されるサブ選択期間では、次のような動作が行われる。液晶駆動装置１００は、電圧（Ｖ２、Ｖ１、ＶＣ、ＭＶ１、ＭＶ２）のいずれかを選択し、セグメント電極ＳＥＧ０に選択した電圧を印加する。このとき、液晶駆動装置１００は、セグメント電極ＳＥＧ０と同時選択されるコモン電極ＣＯＭ０〜ＣＯＭ３の各々との交差位置に対応した各ドットの表示パターンと選択パターンとの極性の不一致数に応じて電圧を選択する。同様に、他のセグメント電極に対して、選択した電圧を印加する。
【００８６】
次に、第１のフィールド期間を分割した複数のサブ選択期間のうち、次に同時選択されるコモン電極が選択されるサブ選択期間において、各セグメント電極の列の不一致数を決定し、得られた電圧のデータを印加する。こうしてすべてのコモン電極について、以上の手順を繰り返すと、第１のフィールド期間における動作が終了する。同様に２番目以降のフィールド期間についても、すべてのコモン電極について上記の手順を繰り返すと１つのフレーム期間が終わり、これにより１つの画面の表示が行われる。
【００８７】
このような構成の液晶駆動装置１００では、コモンドライバー１２０は、同時選択される複数のコモン電極を１ブロックとするブロック単位に複数フィールドに亘って各フィールドに対応した選択パターンでコモン電極を走査する。また、セグメントドライバー１３４は、同時選択される複数のコモン電極に対応した画像データ及び上記の選択パターンに対応した駆動電圧でセグメント電極を駆動する。この駆動電圧は、画像データ及び表示タイミング信号に基づいてデコードされた結果により得られる。
【００８８】
図１２に、図９のダミー挿入制御回路２００の構成例のブロック図を示す。
ダミー挿入制御回路２００は、ダミー挿入設定レジスター２０２、ダミー挿入アドレスレジスター（ダミー挿入レジスター）２０４、コモンアドレスカウンター２０６、ラインアドレスカウンター２０８、ダミーデータ設定レジスター２１０を含む。またダミー挿入制御回路２００は、極性反転ライン数設定レジスター２１２、極性反転ライン数カウンター２１４、極性反転信号生成回路（極性反転制御部）２１６を含む。ダミー挿入制御回路２００は、垂直同期信号ＶＳＹＮＣ、水平同期信号ＨＳＹＮＣ及びフィールド信号Ｆ１、Ｆ２を用いて、コモンアドレス、ラインアドレス及び極性反転信号ＦＲを制御する。
【００８９】
ダミー挿入設定レジスター２０２は、ホストプロセッサー用インターフェイス１１０を介してホストプロセッサー３０によりアクセス可能に構成され、ダミー挿入制御のオン又はオフに対応した設定値が設定される。このレジスターにダミー挿入制御のオンに対応した設定値が設定されると、ダミー挿入制御回路２００は、コモン電極の走査期間中にダミー期間を挿入する制御を行う。
【００９０】
図１３に、ダミー挿入設定レジスター２０２の説明図を示す。図１３では、ダミー挿入設定レジスター２０２が２ビット構成のレジスターであるものとする。
ホストプロセッサー３０によりダミー挿入設定レジスター２０２に設定される設定値（Ｐ１，Ｐ０）に応じて、ダミー挿入制御のオフ、ダミー挿入制御のオンを指定することができるようになっている。例えばＭＬＳにより同時選択される複数のコモン電極（ここでは４ライン）を１ブロックとすると、ダミー挿入制御のオンが指定されたときに何ブロック分を挿入するかを指定できる。図１２では、設定値（Ｐ１，Ｐ０）＝（０，１）のとき１ブロック（＝４ライン）が挿入され、設定値（Ｐ１，Ｐ０）＝（１，０）のとき２ブロック（＝８ライン）が挿入され、設定値（Ｐ１，Ｐ０）＝（１，１）のとき３ブロック（＝１２ライン）が挿入される。
【００９１】
図１４（Ａ）〜図１４（Ｄ）に、ダミー挿入制御の説明図を模式的に示す。図１４（Ａ）〜図１４（Ｄ）では、縦方向の長さは垂直走査期間、横方向の長さは水平走査期間に対応している。図１４（Ａ）は、ダミー期間が挿入される前の表示画像のイメージを表す。図１４（Ｂ）〜図１４（Ｄ）は、それぞれ１ブロック分〜３ブロック分のダミー期間が挿入されたときのイメージを表す。
【００９２】
図１４（Ａ）に示すように、マーク部ＭＫを含む画像を表示する場合を考える。ダミー期間が挿入されずに１垂直走査期間でコモン電極が走査される図１４（Ａ）に対して、設定値（Ｐ１，Ｐ０）＝（０，１）のとき、図１４（Ｂ）に示すように１垂直走査期間（＝コモン電極の走査期間）にダミー期間ＤＴ１が挿入される。同様に、設定値（Ｐ１，Ｐ０）＝（１，０）のとき図１４（Ｃ）に示すように、ダミー期間ＤＴ２、ＤＴ３が挿入される。また設定値（Ｐ１，Ｐ０）＝（１，１）のとき、図１４（Ｄ）に示すようにダミー期間ＤＴ４、ＤＴ５、ＤＴ６が挿入される。ダミー期間ＤＴ１〜ＤＴ６では、それぞれ所与のダミーデータに基づいてセグメント電極が駆動され、図９では表示オン信号ＤＯＮに対応した画像データに基づいてセグメント電極が駆動される。
【００９３】
図１２において、ダミー挿入アドレスレジスター２０４は、ホストプロセッサー用インターフェイス１１０を介してホストプロセッサー３０によりアクセス可能に構成される。ダミー挿入アドレスレジスター２０４には、コモン電極の走査期間内のダミー期間の挿入位置に対応した設定値が設定される。ここでは、ダミー期間の挿入位置に対応した設定値として、コモンアドレスが設定される。ダミー挿入制御回路２００は、ダミー挿入アドレスレジスター２０４の設定値に対応したダミー期間にコモン電極を非選択とするように制御する。
【００９４】
図１５に、ダミー挿入アドレスレジスター２０４の説明図を示す。
ダミー挿入アドレスレジスター２０４は、第１のアドレスレジスター２２０、第２のアドレスレジスター２２２、第３のアドレスレジスター２２４を含む。これらのアドレスレジスターは、ホストプロセッサー用インターフェイス１１０を介してホストプロセッサー３０によりアクセス可能に構成され、ダミー期間の挿入位置に対応したコモンアドレス（広義には設定値）が設定される。ダミー挿入設定レジスター２０２により１ブロック挿入が指定されたとき、第１のアドレスレジスター２２０に設定されたコモンアドレスがコモンアドレスカウンター２０６及びラインアドレスカウンター２０８に出力される。ダミー挿入設定レジスター２０２により２ブロック挿入が指定されたとき、第１のアドレスレジスター２２０及び第２のアドレスレジスター２２２に設定されたコモンアドレスが両カウンターに出力される。ダミー挿入設定レジスター２０２により３ブロック挿入が指定されたとき、第１のアドレスレジスター２２０〜第３のアドレスレジスター２２４に設定されたコモンアドレスが両カウンターに出力される。
【００９５】
図１２において、コモンアドレスカウンター２０６は、同時選択される４ラインのコモン電極を特定するコモンアドレスに対応するコモンアドレスカウント値をカウントする。コモンアドレスカウンター２０６は、コモンアドレスカウント値に対応したコモンアドレスを出力する。また、ラインアドレスカウンター２０８は、同時選択される各コモン電極に対応したラインアドレスに応じたラインアドレスカウント値をカウントする。ラインアドレスカウンター２０８は、ラインアドレスカウント値に対応したラインアドレスを出力する。
【００９６】
ダミーデータ設定レジスター２１０は、ホストプロセッサー用インターフェイス１１０を介してホストプロセッサー３０によりアクセス可能に構成され、ダミー期間におけるセグメント電極の出力電位に対応した設定値が設定される。表示オン信号ＤＯＮは、ダミーデータ設定レジスター２１０の設定値に対応した論理レベルの信号として出力される。
【００９７】
図１６に、ダミーデータ設定レジスター２１０の説明図を示す。
ダミーデータ設定レジスター２１０の設定値により表示オン信号ＤＯＮが「０」（Ｌレベル）となるように指定されたとき、画像データラッチ回路１３０は、画素がオフとなるオフデータを強制的に出力する。このとき、画像データＲＡＭ１２８から出力される画像データにかかわらず、強制的にオフデータが出力される。同様に、ダミーデータ設定レジスター２１０の設定値により表示オン信号ＤＯＮが「１」（Ｈレベル）となるように指定されたとき、画像データラッチ回路１３０は、画素がオンとなるオンデータを強制的に出力する。これにより、ダミー期間において、表示内容に応じて画像データを強制的に制御することができ、セグメント電極の出力電位を指定することができる。
【００９８】
なお、ダミーデータは、挿入直前の走査期間に対応した画像データの反転データを含むことが望ましい。例えば、挿入直前の走査期間がオン画素のマーク部を走査するとき、ダミーデータは、マーク部のオン画素の領域がオフ画素となるよう画像データとする。或いは、例えば、挿入直前の走査期間がオフ画素のマーク部を走査するとき、ダミーデータは、マーク部のオフ画素の領域がオン画素となるよう画像データとする。第１の実施形態では、表示オン信号ＤＯＮにより、１ラインが全オン又は全オフとなる画像データをダミーデータとして採用する。
【００９９】
図１２において、極性反転ライン数設定レジスター２１２は、ホストプロセッサー用インターフェイス１１０を介してホストプロセッサー３０によりアクセス可能に構成され、極性反転ライン数に対応する設定値が設定される。ダミー挿入制御回路２００は、極性反転ライン数設定レジスター２１２に設定された設定値に対応したライン数毎に液晶に印加される電圧の極性を反転させる制御を行う。第１の実施形態では、４ラインを同時選択するＭＬＳ駆動法を採用するため、極性反転ライン数設定レジスター２１２には、同時選択されるコモン電極数の倍数に対応した設定値が設定される。極性反転ライン数カウンター２１４は、極性反転ライン数設定レジスター２１２に設定された設定値に対応した極性反転ライン数に基づいて、極性反転ライン数カウント値をカウントする。極性反転信号生成回路２１６は、極性反転ライン数カウント値に基づいて、極性反転ライン数毎に論理レベルを反転させて極性反転信号ＦＲを出力する。この結果、極性反転信号生成回路２１６は、コモン電極及びセグメント電極の間の電圧の極性を反転させる制御を所与の極性反転ライン数毎に行うことができる。
【０１００】
以下、ダミー挿入制御回路２００を構成する各部の動作例について説明する。なお、以下では、説明の簡素化のために１ブロック挿入を例に説明するが、２ブロックや３ブロックを挿入する場合も同様に実現できることは言うまでもない。
【０１０１】
図１７に、コモンアドレスカウンター２０６の動作例のフロー図を示す。
コモンアドレスカウンター２０６には、垂直同期信号ＶＳＹＮＣ、フィールド信号Ｆ１、Ｆ２及び水平同期信号ＨＳＹＮＣが入力される。内部では、フィールド信号Ｆ１、Ｆ２に基づいて特定されるフィールド期間の開始タイミングで、フィールド先頭信号ＦＩＥＬＤが「１」に設定される。このとき、垂直同期信号ＶＳＹＮＣが「１」又はフィールド先頭信号ＦＩＥＬＤが「１」であるとき（ステップＳ１０：Ｙ）、コモンアドレスカウンター２０６は、コモンアドレスにスタートアドレス「０」を設定する（ステップＳ１２）。より具体的には、コモンアドレスカウンター２０６は、コモンアドレスカウント値に「０」を設定する。
【０１０２】
一方、垂直同期信号ＶＳＹＮＣが「１」又はフィールド先頭信号ＦＩＥＬＤが「１」ではないとき（ステップＳ１０：Ｎ）、コモンアドレスカウンター２０６は、水平同期信号ＨＳＹＮＣに基づいてコモンアドレスカウント値の更新判定を行う（ステップＳ１４）。ステップＳ１４において、水平同期信号ＨＳＹＮＣが「１」のとき（ステップＳ１４：Ｙ）、コモンアドレスカウンター２０６は、コモンアドレスカウント値に基づいてコモンアドレスがダミーコモンアドレスであるか否かを判別する（ステップＳ１６）。ここで、ダミーコモンアドレスは、コモンアドレスデコーダー１１６がデコードできないアドレスであり、実在しないコモンアドレスが採用される。コモンアドレスデコーダー１１６は、ダミーコモンアドレスが与えられたときに、すべてのコモン電極が非選択電圧である電圧ＶＣを出力するようにデコードする。ステップＳ１６において、コモンアドレスがダミーコモンアドレスであると判別されたとき（ステップＳ１６：Ｙ）、コモンアドレスカウンター２０６は、コモンアドレスを（ダミー挿入直前アドレス＋１）に設定する（ステップＳ１８）。具体的には、コモンアドレスカウンター２０６は、（ダミー挿入直前アドレス＋１）がコモンアドレスとなるようにコモンアドレスカウント値を設定する。ここで、ダミー挿入直前アドレスは、ダミー期間の挿入位置に対応したコモンアドレスの直前のコモンアドレスである。これにより、ダミー期間の挿入後に、コモン電極の走査を継続することができる。
【０１０３】
ステップＳ１６において、コモンアドレスがダミーコモンアドレスではないと判別されたとき（ステップＳ１６：Ｎ）、コモンアドレスカウンター２０６は、ダミー期間に対応したコモンアドレスの判別処理を行う（ステップＳ２０）。即ち、ステップＳ２０では、コモンアドレスカウンター２０６は、コモンアドレスカウント値に基づいてコモンアドレスが（ダミー挿入アドレス−１）であるか否かを判別する。ここで、ダミー挿入アドレスは、図１５の第１のアドレスレジスター２２０に設定されたアドレスである。ステップＳ２０において、コモンアドレスが（ダミー挿入アドレス−１）であると判別されたとき（ステップＳ２０：Ｙ）、コモンアドレスカウンター２０６は、コモンアドレスをダミーコモンアドレスに設定する（ステップＳ２２）。具体的には、コモンアドレスカウンター２０６は、ダミーコモンアドレスがコモンアドレスとなるようにコモンアドレスカウント値を設定する。これにより、ダミー期間が挿入される。一方、ステップＳ２０において、コモンアドレスが（ダミー挿入アドレス−１）ではないと判別されたとき（ステップＳ２０：Ｎ）、コモンアドレスカウンター２０６は、コモンアドレスをインクリメントする（ステップＳ２４）。具体的には、コモンアドレスカウンター２０６は、コモンアドレスカウント値をインクリメントする。
【０１０４】
ステップＳ１４において、水平同期信号ＨＳＹＮＣが「１」ではないとき（ステップＳ１４：Ｎ）、コモンアドレスカウンター２０６は、コモンアドレスカウント値を更新することなく（ステップＳ２６）、ステップＳ１０に戻る（リターン）。ステップＳ１２、ステップＳ１８、ステップＳ２２、ステップＳ２４の処理後も、同様にステップＳ１０に戻る（リターン）。
【０１０５】
以上のようにカウントされたコモンアドレスカウント値に対応したコモンアドレスを受けたコモンドライバー（コモン電極駆動部）１２０が、画素形成領域２２のコモン電極の走査期間にダミー期間を挿入しながら、コモン電極を走査することができる。
【０１０６】
図１８に、ラインアドレスカウンター２０８の動作例のフロー図を示す。
ラインアドレスカウンター２０８には、垂直同期信号ＶＳＹＮＣ、フィールド信号Ｆ１、Ｆ２及び水平同期信号ＨＳＹＮＣが入力される。垂直同期信号ＶＳＹＮＣが「１」又はフィールド先頭信号ＦＩＥＬＤが「１」であるとき（ステップＳ３０：Ｙ）、ラインアドレスカウンター２０８は、スタートアドレスとしてラインアドレスを「０」に設定する（ステップＳ３２）。より具体的には、ラインアドレスカウンター２０８は、ラインアドレスカウント値に「０」を設定する。
【０１０７】
一方、垂直同期信号ＶＳＹＮＣが「１」又はフィールド先頭信号ＦＩＥＬＤが「１」ではないとき（ステップＳ３０：Ｎ）、ラインアドレスカウンター２０８は、水平同期信号ＨＳＹＮＣに基づいてラインアドレスカウント値の更新判定を行う（ステップＳ３４）。ステップＳ３４において、水平同期信号ＨＳＹＮＣが「１」のとき（ステップＳ３４：Ｙ）、ラインアドレスカウンター２０８は、ラインアドレスカウント値に基づいて、ラインアドレスがダミーラインアドレスであるか否かを判別する（ステップＳ３６）。ここで、ダミーラインアドレスは、ラインアドレス制御回路１２６がデコードできないアドレスであり、実在しないラインアドレスが採用される。なお、表示オン信号ＤＯＮにより画像データラッチ回路１３０の出力データを強制的に制御できる場合は、ダミーラインアドレスとして実在しないラインアドレスを採用しなくてもよい。ステップＳ３６においてラインアドレスがダミーラインアドレスであると判別されたとき（ステップＳ３６：Ｙ）、ラインアドレスカウンター２０８は、ラインアドレスを（（ダミー挿入直前アドレス＋１）×４）を設定する（ステップＳ３８）。具体的には、ラインアドレスカウンター２０８は、（（ダミー挿入直前アドレス＋１）×４）がラインアドレスとなるようにラインアドレスカウント値を設定する。これにより、ダミー期間の挿入後に、セグメント電極の駆動を継続することができる。
【０１０８】
ステップＳ３６において、ラインアドレスがダミーラインアドレスではないと判別されたとき（ステップＳ３６：Ｎ）、ラインアドレスカウンター２０８は、ダミー期間に対応したラインアドレスの判別処理を行う（ステップＳ４０）。即ち、ステップＳ４０では、ラインアドレスカウンター２０８は、ラインアドレスカウント値に基づいてラインアドレスが（ダミー挿入アドレス×４−１）であるか否かを判別する。ステップＳ４０において、ラインアドレスが（ダミー挿入アドレス×４−１）であると判別されたとき（ステップＳ４０：Ｙ）、ラインアドレスカウンター２０８は、ラインアドレスをダミーラインアドレスに設定する（ステップＳ４２）。具体的には、ラインアドレスカウンター２０８は、ダミーラインアドレスがラインアドレスとなるようにラインアドレスカウント値を設定する。一方、ステップＳ４０において、ラインアドレスが（ダミー挿入アドレス×４−１）ではないと判別されたとき（ステップＳ４０：Ｎ）、ラインアドレスカウンター２０８は、ラインアドレスをインクリメントする（ステップＳ４４）。具体的には、ラインアドレスカウンター２０８は、ラインアドレスカウント値をインクリメントする。
【０１０９】
ステップＳ３４において、水平同期信号ＨＳＹＮＣが「１」ではないとき（ステップＳ３４：Ｎ）、ラインアドレスカウンター２０８は、ラインアドレスカウント値に基づいてラインアドレスがダミーラインアドレスであるか否かを判別する（ステップＳ４６）。ステップＳ４６においてラインアドレスがダミーラインアドレスであると判別されたとき（ステップＳ４６：Ｙ）、ラインアドレスカウンター２０８は、ラインアドレスをそのまま保持し（ステップＳ４８）、ステップＳ３０に戻る（リターン）。一方、ステップＳ４６において、ラインアドレスがダミーラインアドレスではないと判別されたとき（ステップＳ４６：Ｎ）、ラインアドレスカウンター２０８は、ラインアドレスをインクリメントし（ステップＳ４４）、ステップＳ３０に戻る（リターン）。ステップＳ３２、ステップＳ３８、ステップＳ４２の処理後も、同様にステップＳ３０に戻る（リターン）。
【０１１０】
以上のようにカウントされたラインアドレスカウント値に対応したラインアドレスを用いて読み出された画像データに基づいてセグメントドライバー（セグメント電極駆動部）１３４が、画素形成領域２２のセグメント電極を駆動する。
【０１１１】
図１９に、極性反転ライン数カウンター２１４の動作例のフロー図を示す。
極性反転ライン数カウンター２１４には、水平同期信号ＨＳＹＮＣが入力される。水平同期信号ＨＳＹＮＣが「１」のとき（ステップＳ６０：Ｙ）、極性反転ライン数カウンター２１４は、極性反転ライン数に対応した極性反転ライン数カウント値が（極性反転ライン数／４−１）であるか否かを判別する（ステップＳ６２）。ステップＳ６２において極性反転ライン数カウント値が（極性反転ライン数／４−１）であると判別されたとき（ステップＳ６２：Ｙ）、極性反転ライン数カウンター２１４は、極性反転ライン数カウント値を初期化する（ステップＳ６４）。その後、ステップＳ６０に戻る（リターン）。一方、ステップＳ６２において、極性反転ライン数カウント値が（極性反転ライン数／４−１）ではないと判別されたとき（ステップＳ６２：Ｎ）、極性反転ライン数カウンター２１４は、極性反転ライン数カウント値をインクリメントする（ステップＳ６６）。その後、ステップＳ６０に戻る（リターン）。
【０１１２】
ステップＳ６０において水平同期信号ＨＳＹＮＣが「１」ではないとき（ステップＳ６０：Ｎ）、極性反転ライン数カウンター２１４は、極性反転ライン数カウント値を更新することなく（ステップＳ６８）、ステップＳ６０に戻る（リターン）。
【０１１３】
図２０に、極性反転信号生成回路２１６の動作例のフロー図を示す。
極性反転信号生成回路２１６には、水平同期信号ＨＳＹＮＣが入力される。水平同期信号ＨＳＹＮＣが「１」のとき（ステップＳ７０：Ｙ）、極性反転信号生成回路２１６は、極性反転ライン数カウント値が（極性反転ライン数／４−１）であるか否かを判別する（ステップＳ７２）。ステップＳ７２において極性反転ライン数カウント値が（極性反転ライン数／４−１）であると判別されたとき（ステップＳ７２：Ｙ）、極性反転信号生成回路２１６は、極性反転信号ＦＲの論理レベルを反転させて出力する（ステップＳ７４）。その後、ステップＳ７０に戻る（リターン）。一方、ステップＳ７２において、極性反転ライン数カウント値が（極性反転ライン数／４−１）ではないと判別されたとき（ステップＳ７２：Ｎ）、極性反転信号生成回路２１６は、極性反転信号ＦＲの論理レベルを変更しない（ステップＳ７６）。その後、ステップＳ７０に戻る（リターン）。
【０１１４】
ステップＳ７０において水平同期信号ＨＳＹＮＣが「１」ではないとき（ステップＳ７０：Ｎ）、極性反転信号生成回路２１６は、極性反転信号ＦＲの論理レベルを変更することなく（ステップＳ７８）、ステップＳ７０に戻る（リターン）。
【０１１５】
図１２に示す構成のダミー挿入制御回路２００の各部が、図１７〜図２０のように動作することで、次のように内部の各種信号やカウント値が変化する。
図２１に、ダミー挿入制御回路２００の動作例のタイミング図を示す。図２１は、１フィールド期間分のタイミングを表している。なお、図２１では、表示ライン数が「６４」、ダミー挿入が１ブロック挿入、ダミー挿入アドレスが「７」、ダミー期間の表示をオフ（オフデータ固定）、極性反転ライン数が「１２」（＝３ブロック）であるものとする。
【０１１６】
図２１に示すように、垂直同期信号ＶＳＹＮＣが「１」になると、１垂直走査期間を分割した各フィールド期間が開始される。各フィールド期間では、水平同期信号ＨＳＹＮＣが「１」となる度に１水平走査期間が開始される。コモンアドレスカウント値は、１水平走査期間毎に更新され、コモンアドレスカウント値が「６」になるとコモンアドレスが（ダミー挿入アドレス−１）となり、コモンアドレスにダミーコモンアドレスが設定される。ラインアドレスカウント値についても同様に、ラインアドレスカウント値「２７（＝７×４−１）」になるとラインアドレスが（ダミー挿入アドレス×４−１）となり、ラインアドレスにダミーラインアドレスが設定される。これにより、コモンドライバー１２０は、すべてのコモン電極を非選択状態とし、セグメントドライバー１３４は、表示オン信号ＤＯＮにより固定された画像データに基づいてセグメント電極を駆動して、ダミー期間が挿入される。その後、次の水平走査期間が開始されると、ダミー挿入直前アドレスが「６」であるため、コモンアドレス「７」に対応するコモン電極の走査、ラインアドレス「２８」に対応するセグメント電極の駆動が引き続き行われる。
【０１１７】
また、極性反転ライン数カウント値は、１水平走査期間毎にカウントアップされ、図１９のステップＳ６２の条件が成立したときに「０」に設定される。極性反転信号生成回路２１６は、この極性反転ライン数カウント値が（（極性反転ライン数／４）−１）のときに極性反転信号ＦＲの論理レベルを反転させる。従って、図２１では、極性反転ライン数カウント値が「２」になったとき、極性反転信号生成回路２１６は、極性反転信号ＦＲの論理レベルを反転させる。このように、コモンアドレスカウント値「０」〜「２」、「６」〜「７」、・・・では極性反転信号ＦＲはＨレベル、コモンアドレスカウント値「３」〜「５」、「８」〜「１０」、・・・では極性反転信号ＦＲはＬレベルとなる。
【０１１８】
図２２に、第１の実施形態における液晶駆動装置１００の駆動タイミングの一例を示す。図２２では、表示ライン数が「６４」、極性反転ライン数が「１２」であるものとする。なお、図２２は、図２１のフィールド期間にあわせて図示している。
【０１１９】
図２２に示すように、４ラインのコモン電極が同時選択され、選択パターンに応じた選択電圧が供給され、コモンアドレス「７」に対応するコモン電極の走査期間の前にダミー期間が挿入される。ダミー期間では、すべてのコモン電極が非選択状態となる。ダミー期間が終了すると、コモンアドレス「７」に対応するコモン電極の走査が開始され、引き続きコモン電極の走査が継続される。
【０１２０】
以上説明したように、第１の実施形態においては、コモン電極の走査期間内にダミー期間を挿入するようにしている。これにより、マーク部のセグメント電極の出力電位を変化させることができるようになり、極性反転駆動によるクロストークに起因した実効電圧の変化を調整できるようになる。例えば極性反転駆動によりマーク部の上下のオフ画素が実効電圧の上昇によってオン方向なるクロストークに対し、セグメント電極の電圧変化の鈍りにより実効電圧を下降させることができる。また、ダミー期間の挿入位置を適切に設定することで、セグメント電極の電圧変化の鈍りによるゴーストも改善できるようになる。
【０１２１】
〔第１の実施形態の変形例〕
第１の実施形態では、ダミー期間ではセグメント電極に一律にオン画素又はオフ画素となる画像データに対応した電位を与える例について説明したが、本発明はこれに限定されるものではない。例えば、画像データＲＡＭ１２８の空き領域にダミーデータを格納し、画像データＲＡＭ１２８は、画像データ及びダミーデータをバッファリングさせる。そして、ダミー期間においてダミーデータを読み出して該ダミーデータに基づいてセグメント電極の電位を変化させるようにしてもよい。このダミー期間では、全コモン電極は非選択状態とする。なお、ＭＬＳの場合、ダミーデータは１ブロック（＝４ライン）分のデータで構成されることが望ましい。こうすることで、ライン全体を一律にオン画素又はオフ画素とすることなく、表示内容に応じてセグメント電極毎に電位を異ならせることができ、クロストークに起因した実効電圧の変化を木目細かく調整できるようになる。
【０１２２】
〔第２の実施形態〕
第１の実施形態では走査期間内にコモン電極を非選択状態とするダミー期間を挿入していたため、ダミー期間の挿入によるコントラストの低下が画質に影響する場合もある。そこで、本発明に係る第２の実施形態では、第１の実施形態におけるダミー期間として、コモン電極の走査期間のいずれか一部の走査期間を採用し、走査期間を入れ替えることで実現する。即ち、ダミー期間として、コモン電極の走査期間のいずれか一部を挿入し、コモン電極駆動部は、挿入される走査期間に対応したコモン電極を走査し、セグメント電極駆動部は、挿入される走査期間に対応した画像データに基づいて、前記セグメント電極を駆動する。こうすることで、ダミー期間を挿入したとしても、コントラストが低下することなく、画質の劣化を防止できるようになる。
【０１２３】
〔液晶駆動装置〕
図２３に、第２の実施形態における液晶駆動装置１００ａの構成例のブロック図を示す。図２３において、図９と同様の部分には同一符号を付し、適宜説明を省略するが、液晶駆動装置１００ａは、図１の液晶駆動装置１００に代えて図１の液晶表示システム１０に適用することができる。
【０１２４】
液晶駆動装置１００ａが液晶駆動装置１００と異なる点は、制御回路１１４ａが制御回路１１４に代えて設けられる点と、表示オン信号ＤＯＮによる画像データラッチ回路１３０の出力データの制御を省略した点である。制御回路１１４ａは、ダミー挿入制御回路２００に代えてブロック挿入制御回路３００を備える。ブロック挿入制御回路３００は、順次走査されるコモン電極の走査期間内に、同時選択されるコモン電極のブロック単位で走査期間を入れ替える制御を行う。これにより、コモン電極を非選択状態とすることなくすべてのコモン電極を走査できるので、コントラストの低下を防ぎつつ、マーク部のセグメント電極の出力電位を変化させることができるようになる。
【０１２５】
図２４に、図２３のブロック挿入制御回路３００の構成例のブロック図を示す。図２４において、図１２と同様の部分には同一符号を付し、適宜説明を省略する。
ブロック挿入制御回路３００は、ブロック挿入設定レジスター３０２、ブロック挿入アドレスレジスター３０４、コモンアドレスカウンター３０６、ラインアドレスカウンター３０８を含む。またブロック挿入制御回路３００は、極性反転ライン数設定レジスター２１２、極性反転ライン数カウンター２１４、極性反転信号生成回路２１６を含む。ブロック挿入制御回路３００は、垂直同期信号ＶＳＹＮＣ、水平同期信号ＨＳＹＮＣ及びフィールド信号Ｆ１、Ｆ２を用いて、コモンアドレス、ラインアドレス及び極性反転信号ＦＲを制御する。
【０１２６】
ブロック挿入設定レジスター３０２は、ホストプロセッサー用インターフェイス１１０を介してホストプロセッサー３０によりアクセス可能に構成され、ブロック挿入制御のオン又はオフに対応した設定値が設定される。このレジスターにブロック挿入制御のオンに対応した設定値が設定されると、ブロック挿入制御回路３００は、コモン電極の走査期間中に、走査順序とは異なる別のコモン電極の走査期間をブロック単位で挿入する制御を行う。
【０１２７】
図２５に、ブロック挿入設定レジスター３０２の説明図を示す。図２５では、ブロック挿入設定レジスター３０２が２ビット構成のレジスターであるものとする。
ホストプロセッサー３０によりブロック挿入設定レジスター３０２に設定される設定値（Ｐ１，Ｐ０）に応じて、ブロック挿入制御のオフ、ブロック挿入制御のオンを指定することができるようになっている。例えばＭＬＳにより同時選択される複数のコモン電極（ここでは４ライン）を１ブロックとすると、ブロック挿入制御のオンが指定されたときに何ブロック分を挿入するかが指定される。図２５では、設定値（Ｐ１，Ｐ０）＝（０，１）のとき１ブロック（＝４ライン）が挿入され、設定値（Ｐ１，Ｐ０）＝（１，０）のとき２ブロック（＝８ライン）が挿入され、設定値（Ｐ１，Ｐ０）＝（１，１）のとき３ブロック（＝１２ライン）が挿入される。
【０１２８】
図２６（Ａ）〜図２６（Ｄ）に、ブロック挿入制御の説明図を模式的に示す。図２６（Ａ）〜図２６（Ｄ）は、縦方向の長さは垂直走査期間、横方向の長さは水平走査期間に対応している。図２６（Ａ）は、ブロック挿入前の表示画像のイメージを表す。図２６（Ｂ）〜図２６（Ｄ）は、それぞれ１ブロック分〜３ブロック分のブロック挿入が行われたときのイメージを表す。
【０１２９】
図２６（Ａ）に示すように、マーク部ＭＫを含む画像を表示する場合を考える。この場合、マーク部ＭＫ以外の表示領域がブロック単位で入れ替えブロックＢＬＡ、ＢＬＢ、ＢＬＣとして設定される。設定値（Ｐ１，Ｐ０）＝（０，１）のとき、図２６（Ｂ）に示すように、マーク部ＭＫの走査期間内に、入れ替えブロックＢＬＡの走査期間が挿入される。同様に、設定値（Ｐ１，Ｐ０）＝（１，０）のとき、図２６（Ｃ）に示すようにマーク部ＭＫの走査期間内に、入れ替えブロックＢＬＡ、ＢＬＢの走査期間が挿入される。また、設定値（Ｐ１，Ｐ０）＝（１，１）のとき、図２６（Ｄ）に示すようにマーク部ＭＫの走査期間内に、入れ替えブロックＢＬＡ、ＢＬＢ、ＢＬＣの走査期間が挿入される。入れ替えブロックＢＬＡ、ＢＬＢ、ＢＬＣの走査期間では、各ブロックのコモン電極が走査され、対応する画像データに基づいて駆動される。
【０１３０】
図２４において、ブロック挿入アドレスレジスター３０４は、ホストプロセッサー用インターフェイス１１０を介してホストプロセッサー３０によりアクセス可能に構成される。ブロック挿入アドレスレジスター３０４には、コモン電極の走査期間内の挿入位置に対応した設定値と、指定された挿入位置に挿入されるコモン電極に対応した設定値とが設定される。ここでは、これらの設定値として、コモンアドレスが設定される。
【０１３１】
図２７に、ブロック挿入アドレスレジスター３０４の説明図を示す。
ブロック挿入アドレスレジスター３０４は、入れ替えブロック毎に、ブロック挿入アドレスレジスター（挿入元レジスター）及び挿入先アドレスレジスター（挿入先レジスター）を含む。ここでは、３組のブロック挿入アドレスレジスター及び挿入先アドレスレジスターが設けられ、１組目は、第１のブロック挿入アドレスレジスター３２０及び第１の挿入先アドレスレジスター３２２により構成される。２組目は、第２のブロック挿入アドレスレジスター３２４及び第２の挿入先アドレスレジスター３２６により構成される。３組目は、第３のブロック挿入アドレスレジスター３２８及び第３の挿入先アドレスレジスター３３０により構成される。各ブロック挿入アドレスレジスターには、走査期間の挿入位置に対応したコモンアドレス（広義には設定値）が設定される。各挿入先アドレスレジスターには、指定された挿入位置に挿入するコモン電極に対応したコモンアドレス（広義には設定値）が設定される。ブロック挿入アドレスレジスター３０４を構成する各レジスターは、ホストプロセッサー用インターフェイス１１０を介してホストプロセッサー３０によりアクセス可能に構成される。ブロック挿入設定レジスター３０２により１ブロック挿入が指定されたとき、第１のブロック挿入アドレスレジスター３２０及び第１の挿入先アドレスレジスター３２２に設定されたコモンアドレスが両カウンターに出力される。ブロック挿入設定レジスター３０２により２ブロック挿入が指定されたとき、１ブロック挿入時に加えて、第２のブロック挿入アドレスレジスター３２４及び第２の挿入先アドレスレジスター３２６に設定されたコモンアドレスが出力される。ブロック挿入設定レジスター３０２により３ブロック挿入が指定されたとき、２ブロック挿入時に加えて、第３のブロック挿入アドレスレジスター３２８及び第３の挿入先アドレスレジスター３３０に設定されたコモンアドレスが出力される。
【０１３２】
図２４において、コモンアドレスカウンター３０６は、同時選択される４ラインのコモン電極を特定するコモンアドレスに対応するコモンアドレスカウント値をカウントする。コモンアドレスカウンター３０６は、コモンアドレスカウント値に対応したコモンアドレスを出力する。また、ラインアドレスカウンター３０８は、同時選択される各コモン電極に対応したラインアドレスに応じたラインアドレスカウント値をカウントする。ラインアドレスカウンター３０８は、ラインアドレスカウント値に対応したラインアドレスを出力する。
【０１３３】
以下、ブロック挿入制御回路３００を構成する各部の動作例について説明する。なお、以下では、説明の簡素化のために１ブロック挿入を例に説明するが、２ブロックや３ブロックを挿入する場合も同様に実現できることは言うまでもない。
【０１３４】
図２８に、コモンアドレスカウンター３０６の動作例のフロー図を示す。
コモンアドレスカウンター３０６には、垂直同期信号ＶＳＹＮＣ、フィールド信号Ｆ１、Ｆ２及び水平同期信号ＨＳＹＮＣが入力される。内部では、フィールド信号Ｆ１、Ｆ２に基づいて特定されるフィールド期間の開始タイミングで、フィールド先頭信号ＦＩＥＬＤが「１」に設定される。このとき、垂直同期信号ＶＳＹＮＣが「１」又はフィールド先頭信号ＦＩＥＬＤが「１」であるとき（ステップＳ８０：Ｙ）、コモンアドレスカウンター３０６は、コモンアドレスにスタートアドレス「０」を設定する（ステップＳ８２）。より具体的には、コモンアドレスカウンター３０６は、コモンアドレスカウント値に「０」を設定する。
【０１３５】
一方、垂直同期信号ＶＳＹＮＣが「１」又はフィールド先頭信号ＦＩＥＬＤが「１」ではないとき（ステップＳ８０：Ｎ）、コモンアドレスカウンター３０６は、水平同期信号ＨＳＹＮＣに基づいてコモンアドレスカウント値の更新判定を行う（ステップＳ８４）。ステップＳ８４において、水平同期信号ＨＳＹＮＣが「１」のとき（ステップＳ８４：Ｙ）、コモンアドレスカウンター３０６は、コモンアドレスカウント値に基づいてコモンアドレスが挿入先アドレスであるか否かを判別する（ステップＳ８６）。ここで、挿入先アドレスは、第１の挿入先アドレスレジスター３２２に設定されたコモンアドレスである。ステップＳ８６において、コモンアドレスが挿入先アドレスであると判別されたとき（ステップＳ８６：Ｙ）、コモンアドレスカウンター３０６は、コモンアドレスを（ブロック挿入直前アドレス＋１）に設定する（ステップＳ８８）。具体的には、コモンアドレスカウンター３０６は、（ブロック挿入直前アドレス＋１）がコモンアドレスとなるようにコモンアドレスカウント値を設定する。ここで、ブロック挿入直前アドレスは、ブロック単位で挿入される走査期間に対応したコモンアドレスの直前のコモンアドレスである。これにより、ブロック挿入後に、コモン電極の走査を継続することができる。
【０１３６】
ステップＳ８６において、コモンアドレスが挿入先アドレスではないと判別されたとき（ステップＳ８６：Ｎ）、コモンアドレスカウンター３０６は、挿入位置に対応したコモンアドレスの判別処理を行う（ステップＳ９０）。即ち、ステップＳ９０では、コモンアドレスカウンター３０６は、コモンアドレスカウント値に基づいてコモンアドレスが（ブロック挿入アドレス−１）であるか否かを判別する。ここで、ブロック挿入アドレスは、第１のブロック挿入アドレスレジスター３２０に設定されたアドレスである。ステップＳ９０において、コモンアドレスが（ブロック挿入アドレス−１）であると判別されたとき（ステップＳ９０：Ｙ）、コモンアドレスカウンター３０６は、コモンアドレスを挿入先アドレスに設定する（ステップＳ９２）。具体的には、コモンアドレスカウンター３０６は、挿入先アドレスがコモンアドレスとなるようにコモンアドレスカウント値を設定する。これにより、ブロック単位でブロック挿入先の走査期間が挿入される。一方、ステップＳ９０において、コモンアドレスが（ブロック挿入アドレス−１）ではないと判別されたとき（ステップＳ９０：Ｎ）、コモンアドレスカウンター３０６は、コモンアドレスをインクリメントする（ステップＳ９４）。具体的には、コモンアドレスカウンター３０６は、コモンアドレスカウント値をインクリメントする。
【０１３７】
ステップＳ８４において、水平同期信号ＨＳＹＮＣが「１」ではないとき（ステップＳ８４：Ｎ）、コモンアドレスカウンター３０６は、コモンアドレスカウント値を更新することなく（ステップＳ９６）、ステップＳ８０に戻る（リターン）。ステップＳ８２、ステップＳ８８、ステップＳ９２、ステップＳ９４の処理後も、同様にステップＳ８０に戻る（リターン）。
【０１３８】
以上のようにカウントされたコモンアドレスカウント値に対応したコモンアドレスを受けたコモンドライバー１２０が、画素形成領域２２のコモン電極の走査期間に、ブロック挿入先のコモン電極の走査期間を挿入しながら、全コモン電極を走査することができる。
【０１３９】
図２９に、ラインアドレスカウンター３０８の動作例のフロー図を示す。
ラインアドレスカウンター３０８には、垂直同期信号ＶＳＹＮＣ、フィールド信号Ｆ１、Ｆ２及び水平同期信号ＨＳＹＮＣが入力される。垂直同期信号ＶＳＹＮＣが「１」又はフィールド先頭信号ＦＩＥＬＤが「１」であるとき（ステップＳ１００：Ｙ）、ラインアドレスカウンター３０８は、スタートアドレスとしてラインアドレスを「０」に設定する（ステップＳ１０２）。より具体的には、ラインアドレスカウンター３０８は、ラインアドレスカウント値に「０」を設定する。
【０１４０】
垂直同期信号ＶＳＹＮＣが「１」又はフィールド先頭信号ＦＩＥＬＤが「１」ではないとき（ステップＳ１００：Ｎ）、ラインアドレスカウンター３０８は、水平同期信号ＨＳＹＮＣに基づきラインアドレスカウント値の更新判定を行う（ステップＳ１０４）。ステップＳ１０４において、水平同期信号ＨＳＹＮＣが「１」のとき（ステップＳ１０４：Ｙ）、ラインアドレスカウンター３０８は、ラインアドレスカウント値に基づきラインアドレスが（挿入先アドレス×４＋３）であるか否かを判別する（ステップＳ１０６）。ステップＳ１０６においてラインアドレスが（挿入先アドレス×４＋３）であると判別されたとき（ステップＳ１０６：Ｙ）、ラインアドレスカウンター３０８は、ラインアドレスを（（ブロック挿入直前アドレス＋１）×４）に設定する（ステップＳ１０８）。具体的には、ラインアドレスカウンター３０８は、（（ブロック挿入直前アドレス＋１）×４）がラインアドレスとなるようにラインアドレスカウント値を設定する。これにより、ブロック挿入後に、セグメント電極の駆動を継続することができる。
【０１４１】
ステップＳ１０６において、ラインアドレスが（挿入先アドレス×４＋３）ではないと判別されたとき（ステップＳ１０６：Ｎ）、ラインアドレスカウンター３０８は、走査期間の挿入位置に対応したラインアドレスの判別処理を行う（ステップＳ１１０）。即ち、ステップＳ１１０では、ラインアドレスカウンター３０８は、ラインアドレスカウント値に基づいてラインアドレスが（ブロック挿入アドレス×４−１）であるか否かを判別する。ステップＳ１１０において、ラインアドレスが（ブロック挿入アドレス×４−１）であると判別されたとき（ステップＳ１１０：Ｙ）、ラインアドレスカウンター３０８は、ラインアドレスを（挿入先アドレス×４）に設定する（ステップＳ１１２）。具体的には、ラインアドレスカウンター３０８は、（挿入先アドレス×４）がラインアドレスとなるようにラインアドレスカウント値を設定する。一方、ステップＳ１１０において、ラインアドレスが（ブロック挿入アドレス×４−１）ではないと判別されたとき（ステップＳ１１０：Ｎ）、ラインアドレスカウンター３０８は、ラインアドレスをインクリメントする（ステップＳ１１４）。具体的には、ラインアドレスカウンター３０８は、ラインアドレスカウント値をインクリメントする。
【０１４２】
ステップＳ１０４において、水平同期信号ＨＳＹＮＣが「１」ではないとき（ステップＳ１０４：Ｎ）、ラインアドレスカウンター３０８は、ラインアドレスをインクリメントし（ステップＳ１１６）、ステップＳ１００に戻る（リターン）。具体的には、ラインアドレスカウンター３０８は、ステップＳ１１６においてラインアドレスカウント値をインクリメントする。ステップＳ１０２、ステップＳ１０８、ステップＳ１１２、ステップＳ１１４の処理後も、同様にステップＳ１００に戻る（リターン）。
【０１４３】
以上のようにカウントされたラインアドレスカウント値に対応したラインアドレスを用いて読み出された画像データに基づいてセグメントドライバー１３４が、画素形成領域２２のセグメント電極を駆動する。
【０１４４】
図２４に示す構成のブロック挿入制御回路３００の各部が、図１９〜図２０、図２８〜図２９のように動作することで、次のように内部の各種信号やカウント値が変化する。
図３０に、ブロック挿入制御回路３００の動作例のタイミング図を示す。図３０は、１フィールド期間分のタイミングを表している。なお、図３０では、表示ライン数が「６４」、ブロック挿入が１ブロック挿入、ブロック挿入アドレスが「７」、挿入先アドレスがが「１５」、極性反転ライン数が「１２」（＝３ブロック）であるものとする。
【０１４５】
図３０に示すように、垂直同期信号ＶＳＹＮＣが「１」になると、１垂直走査期間を分割した各フィールド期間が開始される。各フィールド期間では、水平同期信号ＨＳＹＮＣが「１」となる度に１水平走査期間が開始される。コモンアドレスカウント値は、１水平走査期間毎に更新され、コモンアドレスカウント値が「６」になるとコモンアドレスが（ブロック挿入アドレス−１）となり、コモンアドレスに挿入先アドレスが設定される。ラインアドレスカウント値についても同様に、ラインアドレスカウント値「２７（＝７×４−１）」の時にラインアドレスが（ブロック挿入アドレス×４−１）となり、ラインアドレスに（挿入先アドレス×４）として「６０（＝１５×４）」が設定される。これにより、コモンドライバー１２０は、挿入先アドレス「１５」に対応したコモン電極を走査し、セグメントドライバー１３４は、ラインアドレス「６０」〜「６３」の画像データに基づいてセグメント電極を駆動する。その後、次の水平走査期間が開始されると、ダミー挿入直前アドレスが「６」であるため、コモンアドレス「７」に対応するコモン電極の走査、ラインアドレス「２８」に対応するセグメント電極の駆動が引き続き行われる。
【０１４６】
また、極性反転信号ＦＲについても、コモンアドレスカウント値「０」〜「２」、「６」〜「７」、・・・では極性反転信号ＦＲはＨレベル、コモンアドレスカウント値「３」〜「５」、「８」〜「１０」、・・・では極性反転信号ＦＲはＬレベルとなる。
【０１４７】
図３１に、第２の実施形態における液晶駆動装置１００ａの駆動タイミングの一例を示す。図３１では、表示ライン数が「６４」、極性反転ライン数が「１２」であるものとする。なお、図３１は、図３０のフィールド期間にあわせて図示している。
【０１４８】
図３１に示すように、４ラインのコモン電極が同時選択され、選択パターンに応じた選択電圧が供給され、コモンアドレス「７」に対応するコモン電極の走査期間の前に、コモンアドレス「１５」に対応するコモン電極の走査期間が挿入される。挿入された走査期間が終了すると、コモンアドレス「７」に対応するコモン電極の走査が開始され、引き続きコモン電極の走査が継続される。以上のように、液晶駆動装置１００ａは、第１のブロック挿入アドレスレジスター３２０の設定値に対応した期間に、第１の挿入先アドレスレジスター３２２の設定値に対応したコモン電極を走査する。このとき、液晶駆動装置１００ａは、第１のブロック挿入アドレスレジスター３２０の設定値に対応した期間に、第１の挿入先アドレスレジスター３２２の設定値に対応した画像データに基づいてセグメント電極を駆動することができる。
【０１４９】
以上説明したように、第２の実施形態においては、コモン電極の走査期間内に、走査順序とは異なる走査期間を挿入するようにしている。これにより、本来のコモン電極の走査期間における画像と、挿入される走査期間における画像との連続性がほとんどない場合に、ダミー期間を挿入する場合と同様の効果を得ることができる。その結果、マーク部のセグメント電極の出力電位を変化させることができるようになり、極性反転駆動によるクロストークに起因した実効電圧の変化を調整できるようになる。
【０１５０】
〔その他の変形例〕
液晶駆動装置が備える画像データＲＡＭが、２画面分の記憶領域を有する場合、１画面を表示する際に、次の画面の表示データをバッファリングさせることが行われる。これにより、表示開始ラインアドレスを変更するのみで、表示内容を変更できる。このような場合、クロストークに起因した画質の劣化は表示内容に依存するため、表示画面毎にダミー期間の挿入位置やブロック挿入位置を変更できることが望ましい。例えば、画面毎に図１２のダミー挿入設定レジスター２０２、ダミー挿入アドレスレジスター２０４、ダミーデータ設定レジスター２１０及び極性反転ライン数設定レジスター２１２が設けられてもよい。或いは、例えば画面毎に図２４のブロック挿入設定レジスター３０２、ブロック挿入アドレスレジスター３０４及び極性反転ライン数設定レジスター２１２が設けられてもよい。
【０１５１】
〔電子機器〕
上記のいずれかの実施形態又はその変形例における液晶駆動装置又は該液晶駆動装置が適用された液晶表示パネルや液晶表示システムは、次のような電子機器に適用できる。
図３２（Ａ）、図３２（Ｂ）に、上記のいずれかの実施形態又はその変形例が適用された電子機器の構成を示す斜視図を示す。図３２（Ａ）は、モバイル型のパーソナルコンピューターの構成の斜視図を表す。図３２（Ｂ）は、携帯電話機の構成の斜視図を表す。
【０１５２】
図３２（Ａ）に示すパーソナルコンピューター８００は、本体部８１０と、表示部８２０とを含む。表示部８２０として、上記のいずれかの実施形態又はその変形例における液晶表示パネル又は液晶表示システムが適用される。本体部８１０は、ホストプロセッサーを含み、この本体部８１０にはキーボード８３０が設けられる。即ち、パーソナルコンピューター８００は、少なくとも上記のいずれかの実施形態又はその変形例における液晶駆動装置を含んで構成される。キーボード８３０を介した操作情報がホストプロセッサーによって解析され、その操作情報に応じて表示部８２０に画像が表示される。
【０１５３】
図３２（Ｂ）に示す携帯電話機９００は、本体部９１０と、表示部９２０とを含む。表示部９２０として、上記のいずれかの実施形態又はその変形例における液晶表示パネル又は液晶表示システムが適用される。本体部９１０は、ホストプロセッサーを含み、この本体部９１０にはキーボード９３０が設けられる。即ち、携帯電話機９００は、上記のいずれかの実施形態又はその変形例における液晶駆動装置を含んで構成される。キーボード９３０を介した操作情報がホストプロセッサーによって解析され、その操作情報に応じて表示部９２０に画像が表示される。
【０１５４】
なお、上記のいずれかの実施形態又はその変形例が適用された電子機器として、図３２（Ａ）、図３２（Ｂ）に示すものに限定されるものではない。例えば、情報携帯端末（ＰＤＡ：Personal Digital Assistants）、デジタルスチルカメラ、テレビ、ビデオカメラ、カーナビゲーション装置、ページャー、電子手帳、電子ペーパー、電卓、ワードプロセッサー、ワークステーション、テレビ電話、ＰＯＳ（Point of sale system）端末、プリンター、スキャナー、複写機、ビデオプレーヤー、タッチパネルを備えた機器等が挙げられる。
【０１５５】
以上、本発明に係る液晶駆動装置、液晶表示装置、電子機器及び液晶駆動方法等を上記のいずれかの実施形態又はその変形例に基づいて説明したが、本発明は上記のいずれかの実施形態又はその変形例に限定されるものではない。例えば、その要旨を逸脱しない範囲において種々の態様において実施することが可能であり、次のような変形も可能である。
【０１５６】
（１）上記の実施形態では、液晶駆動装置がＭＬＳ駆動法により駆動する例を説明したが、本発明はこれに限定されるものではない。
【０１５７】
（２）上記の実施形態において、本発明を、液晶駆動装置、液晶表示装置、電子機器及び液晶駆動方法等として説明したが、本発明はこれに限定されるものではない。
【符号の説明】
【０１５８】
１０…液晶表示システム、  ２０…液晶表示パネル、  ２２…画素形成領域、
３０…ホストプロセッサー、  ４０…電源回路、  １００，１００ａ…液晶駆動装置、
１１０…ホストプロセッサー用インターフェイス、  １１２…発振回路、
１１４…制御回路、  １１６…コモンアドレスデコーダー、
１１８…コモン出力演算回路、  １２０…コモンドライバー、
１２２…ページアドレス制御回路、  １２４…カラムアドレス制御回路、
１２６…ラインアドレス制御回路、  １２８…画像データＲＡＭ、
１３０…画像データラッチ回路、  １３２…ＭＬＳデコーダー、
１３４…セグメントドライバー、  ２００…ダミー挿入制御回路、
２０２…ダミー挿入設定レジスター、  ２０４…ダミー挿入アドレスレジスター、
２０６，３０６…コモンアドレスカウンター、
２０８，３０８…ラインアドレスカウンター、  ２１０…ダミーデータ設定レジスター、
２１２…極性反転ライン数設定レジスター、  ２１４…極性反転ライン数カウンター、
２１６…極性反転信号生成回路、  ２２０…第１のアドレスレジスター、
２２２…第２のアドレスレジスター、  ２２４…第３のアドレスレジスター、
３００…ブロック挿入制御回路、  ３０２…ブロック挿入設定レジスター、
３０４…ブロック挿入アドレスレジスター、  ＣＯＭ０〜ＣＯＭＱ…コモン電極、
ＦＲ…極性反転信号、  ＳＥＧ０〜ＳＥＧＲ…セグメント電極
【図１】
2012053117.tif 000003
【図２】
2012053117.tif 000004
【図３】
2012053117.tif 000005
【図５】
2012053117.tif 000006
【図６】
2012053117.tif 000007
【図７】
2012053117.tif 000008
【図８】
2012053117.tif 000009
【図９】
2012053117.tif 000010
【図１０】
2012053117.tif 000011
【図１１】
2012053117.tif 000012
【図１２】
2012053117.tif 000013
【図１３】
2012053117.tif 000014
【図１４】
2012053117.tif 000015
【図１５】
2012053117.tif 000016
【図１６】
2012053117.tif 000017
【図１７】
2012053117.tif 000018
【図１８】
2012053117.tif 000019
【図１９】
2012053117.tif 000020
【図２０】
2012053117.tif 000021
【図２１】
2012053117.tif 000022
【図２２】
2012053117.tif 000023
【図２３】
2012053117.tif 000024
【図２４】
2012053117.tif 000025
【図２５】
2012053117.tif 000026
【図２６】
2012053117.tif 000027
【図２７】
2012053117.tif 000028
【図２８】
2012053117.tif 000029
【図２９】
2012053117.tif 000030
【図３０】
2012053117.tif 000031
【図３１】
2012053117.tif 000032
【図３２】
2012053117.tif 000033
【図４】
2012053117.tif 000034